(57)【特許請求の範囲】
【請求項１】
ＳＵＤＡシステム（２００）の制御器（５０）であって、前記ＳＵＤＡシステム（２００）は、第１の基地局ネットワーク・グループ（１００ａ）及び第２の基地局ネットワーク・グループ（１００ｂ）、少なくとも１つの第１のＳＵＤＡＣ（２１０、２２０）、並びに前記第１の基地局ネットワーク・グループ（１００ａ）に割り当てられる第１のユーザー機器（２０、２０ａ）及び前記第１の基地局ネットワーク・グループ（１００ｂ）に割り当てられる第２のユーザー機器（２０、２０ｂ）を備え、
ＳＵＤＡＣ（２１０、２２０）それぞれは、少なくとも１つのバックエンド通信信号（１０１ａ＿１、１０１ａ＿２、１０１ｂ＿１、１０１ｂ＿２）を前記第１及び／又は前記第２の基地局ネットワーク・グループ（１００ａ、１００ｂ）に伝送するために極超短波を使用するように、且つ少なくとも１つのフロントエンド通信信号（２１ａ＿１、２１ａ＿２、２１ｂ＿１、２１ｂ＿２）を前記第１及び／又は前記第２のユーザー機器（２０、２０ａ、２０ｂ）に伝送するために極高周波を使用するように、且つ前記バックエンド通信信号（１０１ａ＿１、１０１ａ＿２、１０１ｂ＿１、１０１ｂ＿２）を介して受信されるペイロード信号を転送するように、且つ周波数を前記極超短波から前記極高周波に変換する間に、前記フロントエンド通信信号（２１ａ＿１、２１ａ＿２、２１ｂ＿１、２１ｂ＿２）を介して伝送されるように、前記フロントエンド通信信号（２１ａ＿１、２１ａ＿２、２１ｂ＿１、２１ｂ＿２）を介して受信される前記ペイロード信号を転送するように、且つ周波数を前記極高周波から前記極超短波に変換する間に、前記バックエンド通信信号（１０１ａ＿１、１０１ａ＿２、１０１ｂ＿１、１０１ｂ＿２）を介して伝送されるように構成され、
前記第１のユーザー機器（２０、２０ａ）は、第１のフロントエンド通信信号（２１ａ＿１）を介して前記第１のＳＵＤＡＣ（２１０）と、且つ第２のフロントエンド通信信号（２１ａ＿２）を介して第２のＳＵＤＡＣ（２２０）と、又は直接的な通信信号（１０２）を介して直接的に前記第１の基地局ネットワーク・グループと通信するように構成され、前記第１のフロントエンド通信信号（２１ａ＿１）は、前記第１のＳＵＤＡＣ（２１０）によって前記第１の基地局ネットワーク・グループ（１００ａ）との通信のために使用される第１のバックエンド通信信号（１０１ａ＿１）に変換され、且つ前記第２のフロントエンド通信信号（２１ａ＿２）は、前記第２のＳＵＤＡＣ（２２０）によって前記第１の基地局ネットワーク・グループ（１００ａ）との通信のために使用される第２のバックエンド通信信号（１０１ａ＿２）に変換され、
前記第２のユーザー機器（２０、２０ｂ）は、第１のフロントエンド通信信号（２１ｂ＿１）を介して前記第１のＳＵＤＡＣ（２１０）と、且つ第２のフロントエンド通信信号（２１ｂ＿２）を介して前記第２のＳＵＤＡＣ（２２０）と、又は直接的な通信信号（１０２）を介して直接的に前記第２の基地局ネットワーク・グループと通信するように構成され、前記第１のフロントエンド通信信号（２１ｂ＿１）は、前記第２のＳＵＤＡＣ（２２０）によって前記第２の基地局ネットワーク・グループ（１００ｂ）との通信のために使用される第１のバックエンド通信信号（１０１ｂ＿１）に変換され、且つ前記第２のフロントエンド通信信号（２１ｂ＿２）は、前記第１のＳＵＤＡＣ（２１０）によって前記第２の基地局ネットワーク・グループ（１００ｂ）との通信のために使用される第２のバックエンド通信信号（１０１ｂ＿２）に変換され、
前記第１及び前記第２のユーザー機器（２０、２０ａ、２０ｂ）は、利用可能なデータ速度を向上させるために、前記第１及び前記第２のフロントエンド通信信号（２１ａ＿１、２１ａ＿２、２１ｂ＿１、２１ｂ＿２、１０１ａ＿１、１０１ａ＿２、１０１ｂ＿１、１０１ｂ＿２）又は前記第１のフロントエンド通信信号（２１ａ＿１、２１ａ＿２、２１ｂ＿１、２１ｂ＿２、１０１ａ＿１、１０１ａ＿２、１０１ｂ＿１、１０１ｂ＿２）と、前記直接的な通信信号（１０２）とを統合するように構成され、
前記制御器（５０）は、第１のリソースを選択するように構成され、前記第１及び／又は第２のユーザー機器（２０、２０ａ、２０ｂ）の及び／又は前記第１及び／又は第２の基地局ネットワーク・グループ（１００ａ、１００ｂ）のデータ速度要求及び／又はデータ速度能力を考慮して、且つ／又は前記第１及び前記第２のユーザー機器（２０、２０ａ、２０ｂ）の前記第１のフロントエンド通信信号（２１ａ＿１、２１ｂ＿１）、並びに前記第１及び前記第２のユーザー機器（２０、２０ａ、２０ｂ）の前記第２のフロントエンド通信信号（２１ａ＿２、２１ｂ＿２）が互いに識別可能であるように、且つ／又は伝送損失が前記第１のフロントエンド通信信号（２１ａ＿１、２１ｂ＿１）の中での干渉によって引き起こされ、且つ前記第１及び第２のユーザー機器（２０、２０ａ、２０ｂ）の前記第２のフロントエンド通信信号（２１ａ＿２、２１ｂ＿２）が減じられるように、前記第１のリソースの第１の部分は、前記第１のフロントエンド通信信号（２１ａ＿１、２１ａ＿２）の及び前記対応する第１のバックエンド通信信号（１０１ａ＿１、１０１ａ＿２）の設定を特徴付け、且つ前記第１のリソースの第２の部分は、前記第１のユーザー機器（２０、２０ａ）に対して且つ第２のリソースを選択するために、前記第２のフロントエンド通信信号（２１ａ＿１、２１ａ＿２）の及び前記対応する第２のバックエンド通信信号（１０１ａ＿１、１０１ａ＿２）の設定を特徴付け、前記第２のリソースの第１の部分は、前記第２のユーザー機器（２０、２０ｂ）のために、前記第１のフロントエンド通信信号（２１ｂ＿１、２１ｂ＿２）の及び前記対応する第１のバックエンド通信信号（１０１ｂ＿１、１０１ｂ＿２）の設定を特徴付け、且つ前記第２のリソースの第２の部分は、前記第２のフロントエンド通信信号（２１ｂ＿１、２１ｂ＿２）の及び前記対応する第２のバックエンド通信信号（１０１ｂ＿１、１０１ｂ＿２）の設定を特徴付ける、制御器。
【請求項２】
請求項１に記載の制御器（５０）であって、前記第１及び前記第２のリソースは、時間リソース、周波数リソース、コード・リソース及び／又は空間リソースを備えるグループからのリソースを備える、請求項１に記載の制御器。
【請求項３】
請求項２に記載の制御器（５０）であって、前記制御器（５０）は、ＴＤＭ／ＴＤＭＡ変調を実行するために、前記第１及び前記第２のユーザー機器（２０、２０ａ、２０ｂ）の、及び時間スロットそれぞれを前記第１及び前記第２のフロントエンド通信信号（２１ａ＿１、２１ａ＿２、２１ｂ＿１、２１ｂ＿２）に且つ／又は前記第１及び前記第２のバックエンド通信信号（１０１ａ＿１、１０１ａ＿２、１０１ｂ＿１、１０１ｂ＿２）に割り当てることによってメモリを備える前記第１及び前記第２のＳＵＤＡＣ（２１０、２２０）の、前記時間リソースを、制御信号を介して制御するように構成され、且つ／又は
前記制御器（５０）は、ＦＤＭ／ＦＤＭＡ変調を実行するために、前記第１及び前記第２のユーザー機器（２０、２０ａ、２０ｂ）の、及びキャリア周波数それぞれを前記第１及び前記第２のフロントエンド通信信号（２１ａ＿１、２１ａ＿２、２１ｂ＿１、２１ｂ＿２）に且つ／又は前記第１及び前記第２のバックエンド通信信号（１０１ａ＿１、１０１ａ＿２、１０１ｂ＿１、１０１ｂ＿２）に割り当てることによって周波数及び多重化変換器（２１２、２２２）を備える前記第１及び前記第２のＳＵＤＡＣ（２１０、２２０）の、前記周波数リソースを、前記制御信号を介して制御するように構成され、且つ／又は
前記制御器（５０）は、ＴＤＭ／ＴＤＭＡ変調を実行するために、ＣＤＭ／ＣＤＭＡ変調を実行するために、前記第１及び前記第２のユーザー機器（２０、２０ａ、２０ｂ）の、及び空間的なコーディング体系それぞれを前記第１及び前記第２のフロントエンド通信信号（２１ａ＿１、２１ａ＿２、２１ｂ＿１、２１ｂ＿２）に且つ／又は前記第１及び前記第２のバックエンド通信信号（１０１ａ＿１、１０１ａ＿２、１０１ｂ＿１、１０１ｂ＿２）に割り当てることによって処理装置を備える前記第１及び前記第２のＳＵＤＡＣ（２１０、２２０）の、前記コード・リソースを、前記制御信号を介して制御するように構成され、且つ／又は
前記制御器（５０）は、ＳＤＭ／ＳＤＭＡ変調を実行するために、前記第１の通信信号それぞれ及び／又は前記第２のフロントエンド通信信号（２１ａ＿１、２１ａ＿２、２１ｂ＿１、２１ｂ＿２）を前記ＳＵＤＡＣ（２１０、２２０）それぞれに伝送することによって仮想のアンテナとして前記第１及び前記第２のＳＵＤＡＣ（２１０、２２０）を使用して前記第１及び前記第２のユーザー機器（２０、２０ａ、２０ｂ）の空間リソースを、前記制御信号を介して制御するように構成され、且つ／又は
前記制御器（５０）は、キャリア周波数、キャリア間隔、信号電力、偏向タイプ、前記アンテナ要素のインデックス、ビーム形成パラメータ及び／又はＤＳＳＳ拡散パラメータを備えるグループからの変動要因を備える更なる前記リソースを、前記制御信号を介して制御するように構成される、請求項２に記載の制御器。
【請求項４】
請求項３に記載の制御器（５０）であって、前記周波数及び多重化変換器（２１２、２２２）は、復号しないで前記ペイロード信号を転送するように構成される、請求項３に記載の制御器。
【請求項５】
請求項１乃至４の１つに記載の制御器（５０）であって、前記制御器は、少なくとも１つの第３のＳＵＤＡＣを介して前記制御器を接続される第３のユーザー機器で信号強度を指示する第１のグレードＣＳＩデータの評価に基づき、又は少なくとも１つの第３のユーザー機器並びに第３及び第４のＳＵＤＡＣを介して前記制御器を接続される第４のユーザー機器で信号強度を指示する第２のグレードＣＳＩデータの評価に基づき、第１及び第２のリソースを選択するように構成される、請求項１乃至４の１つに記載の制御器。
【請求項６】
請求項１乃至５の１つに記載の制御器（５０）であって、前記第１のＳＵＤＡＣ（２１０、２２０）と前記第２のＳＵＤＡＣ（２１０、２２０）とのアンテナの間の距離は、ビーム形成を可能にするために、前記極超短波の波長の少なくとも０．５又は１０倍である、請求項１乃至５の１つに記載の制御器。
【請求項７】
請求項１乃至６の１つに記載の制御器（５０）であって、前記第１のＳＵＤＡＣ（２１０、２２０）及び／又は前記第２のＳＵＤＡＣ（２１０、２２０）は、電気壁コンセント・ソケット、電気的なライト・スイッチ、電気的なライト・コンセント、その一方側で壁ソケットに差し込まれ且つその他方側で自由なソケットを与えるプラグ・ソケット装置、街灯若しくは自動車において、又は前記第１、第２又は更なるユーザー機器（２０、２０ａ、２０ｂ）において統合される、請求項１乃至６の１つに記載の制御器。
【請求項８】
請求項１乃至７の１つに記載の制御器（５０）であって、前記第１及び第２のＳＵＤＡＣ（２１０、２２０）は、前記第１のユーザー機器（２０、２０ａ、２０ｂ）と前記第１の基地局グループとの間で且つ前記第２のユーザー機器（２０、２０ａ、２０ｂ）と第２の基地局グループとの間で並行して、前記第１及び前記第２のフロントエンド通信信号（２１ａ＿１、２１ａ＿２、２１ｂ＿１、２１ｂ＿２）及び前記第１及び第２のバックエンド通信信号（１０１ａ＿１、１０１ａ＿２、１０１ｂ＿１、１０１ｂ＿２）を伝送するように構成される、請求項１乃至７の１つに記載の制御器。
【請求項９】
請求項８に記載の制御器（５０）であって、前記制御器（５０）は、前記非ペイロード信号が前記第１のユーザー機器（２０、２０ａ、２０ｂ）と前記第２の基地局グループとの間で且つ前記第２のユーザー機器（２０、２０ａ、２０ｂ）と前記第１の基地局グループとの間で交換されるように、前記第１及び前記第２のＳＵＤＡＣ（２１０、２２０）を制御する、請求項８に記載の制御器。
【請求項１０】
請求項１乃至９の１つに記載の制御器（５０）であって、前記第１又は前記第２のユーザー機器（２０、２０ａ、２０ｂ）の前記第１及び前記第２のバックエンド通信信号（１０１ａ＿１、１０１ａ＿２、１０１ｂ＿１、１０１ｂ＿２）は、前記基地局（１０、１０ａ、１０ｂ）グループそれぞれの少なくとも２つのアンテナ（１２ａ、１２ｂ、１２ｃ）を使用することによって前記第１のキャリア及び前記第２のキャリアを介して伝送される極超短波信号の重ね合わせを表現する、請求項１乃至９の１つに記載の制御器。
【請求項１１】
請求項１乃至１０の１つに記載の制御器（５０）であって、前記ＳＵＤＡシステムは、更なるバックエンド通信信号（１０１ａ＿１、１０１ａ＿２、１０１ｂ＿１、１０１ｂ＿２）を前記第１及び／又は前記第２の基地局ネットワーク・グループ（１００ａ、１００ｂ）に伝送するために極超短波を使用するように、且つ更なるフロントエンド通信信号（２１ａ＿１、２１ａ＿２、２１ｂ＿１、２１ｂ＿２）を前記第１及び／又は前記第２のユーザー機器（２０、２０ａ、２０ｂ）に伝送するために極高周波を使用するように構成される更なるＳＵＤＡＣ（２１０、２２０）を備え、
前記制御装器（５０）は、前記第１及び／又は前記第２のユーザー機器（２０、２０ａ、２０ｂ）の点から見て前記更なるＳＵＤＡＣの前記フロントエンド通信信号（２１ａ＿１、２１ａ＿２、２１ｂ＿１、２１ｂ＿２）及び／又は前記バックエンド通信信号（１０１ａ＿１、１０１ａ＿２、１０１ｂ＿１、１０１ｂ＿２）のリンク品質が、前記第１及び／又は前記第２のユーザー機器（２０、２０ａ、２０ｂ）それぞれの点から見て前記第１又は第２のＳＵＤＡＣ（２１０、２２０）の前記フロントエンド通信信号（２１ａ＿１、２１ａ＿２、２１ｂ＿１、２１ｂ＿２）及び／又は前記バックエンド通信信号（１０１ａ＿１、１０１ａ＿２、１０１ｂ＿１、１０１ｂ＿２）のリンク品質と比較したときより高い場合、前記第１又は第２のＳＵＤＡＣ（２１０、２２０）の前記フロントエンド通信信号（２１ａ＿１、２１ａ＿２、２１ｂ＿１、２１ｂ＿２）及び／又は前記バックエンド通信信号（１０１ａ＿１、１０１ａ＿２、１０１ｂ＿１、１０１ｂ＿２）の代わりに、前記更なるＳＵＤＡＣの前記フロントエンド通信信号（２１ａ＿１、２１ａ＿２、２１ｂ＿１、２１ｂ＿２）及び／又は前記バックエンド通信信号（１０１ａ＿１、１０１ａ＿２、１０１ｂ＿１、１０１ｂ＿２）を使用するように構成される、請求項１乃至１０の１つに記載の制御器。
【請求項１２】
請求項１乃至１１の１つに記載の制御器（５０）であって、前記制御器（５０）は、第１及び／若しくは前記第２のユーザー機器（２０、２０ａ、２０ｂ）に、並びに／又は前記１及び／若しくは前記第２のＳＵＤＡＣ（２１０、２２０）に統合される連結制御器及び／又は共有制御器（５０）であり、又は前記制御器（５０）は、前記第１及び前記第２のユーザー機器（２０、２０ａ、２０ｂ）と前記第１及び前記第２のＳＵＤＡＣ（２１０、２２０）とを接続する制御チャンネルを介して実施されるプロトコル又はアルゴリズムとして実現される、請求項１乃至１１の１つに記載の制御器。
【請求項１３】
請求項１乃至１２の１つに記載の制御器（５０）であって、前記制御器（５０）は、前記第１及び／又は第２の基地局グループ（１００ａ、１００ｂ）が情報に基づき前記バックエンド通信信号（１０１ａ＿１、１０１ａ＿２、１０１ｂ＿１、１０１ｂ＿２）の前記リソース割り当てを実行するように、前記第１及び／又は第２の基地局グループ（１００ａ、１００ｂ）に利用可能な複数のＳＵＤＡＣ（２１０、２２０）に関する前記情報を提供するように構成される、請求項１乃至１２の１つに記載の制御器。
【請求項１４】
請求項１乃至１３の１つに記載の制御器（５０）であって、前記制御器（５０）は、前記バックエンド通信信号（１０１ａ＿１、１０１ａ＿２、１０１ｂ＿１、１０１ｂ＿２）のために使用される時間−周波数−コード・リソースの前記選択を選択又は開始するように、且つマルチ・ユーザーＭＩＭＯの使用を許すために、且つ／又は前記ＳＵＤＡＣ（２１０、２２０）それぞれがいつでも前記ユーザー機器（２０、２０ａ、２０ｂ）の１つによって又は同時に複数の前記ユーザー機器（２０、２０ａ、２０ｂ）によってのどちらかで使用されるように、前記ユーザー機器（２０、２０ａ、２０ｂ）それぞれに対する前記複数のＳＵＤＡＣ（２１０、２２０）の割り当てを可能にする前記第１及び／又は第２のリソースを選択するように、構成される、請求項１乃至１３の１つに記載の制御器。
【請求項１５】
請求項１４に記載の制御器（５０）であって、前記制御器（５０）は、多重同時拡散コードがＭＵ−ＭＩＭＯ伝送において速度（ｒａｔｅ）を分割することを許すために前記ユーザー機器（２０、２０ａ、２０ｂ）の１つに割り当てられるように、前記リソースを選択する、請求項１４に記載の制御器。
【請求項１６】
請求項１乃至１５の１つに記載の制御器（５０）を備える、第１のユーザー機器（２０、２０ａ、２０ｂ）。
【請求項１７】
請求項１乃至１５の１つに記載の制御器によって制御可能であるＳＵＤＡＣ。
【請求項１８】
ＳＵＤＡシステム（２００）であって、第１の基地局ネットワーク・グループ（１００ａ、１００ｂ）及び第２の基地局ネットワーク・グループ（１００ａ、１００ｂ）、第１及び第２のＳＵＤＡＣ（２１０、２２０）、並びに前記第１の基地局ネットワーク・グループ（１００ａ、１００ｂ）に割り当てられる第１のユーザー機器（２０、２０ａ、２０ｂ）、前記第１の基地局ネットワーク・グループ（１００ａ、１００ｂ）に割り当てられる第２のユーザー機器（２０、２０ａ、２０ｂ）、及び請求項１乃至１５の１つに記載の制御器（５０）を備える、ＳＵＤＡシステム。
【請求項１９】
ＳＵＤＡシステム（２００）を制御するための方法であって、前記ＳＵＤＡシステム（２００）は、第１の基地局ネットワーク・グループ（１００ａ、１００ｂ）及び第２の基地局ネットワーク・グループ（１００ａ、１００ｂ）、少なくとも１つの第１のＳＵＤＡＣ（２１０、２２０）、並びに前記第１の基地局ネットワーク・グループ（１００ａ、１００ｂ）に割り当てられる第１のユーザー機器（２０、２０ａ、２０ｂ）及び前記第１の基地局ネットワーク・グループ（１００ａ、１００ｂ）に割り当てられる第２のユーザー機器（２０、２０ａ、２０ｂ）を備え、
ＳＵＤＡＣ（２１０、２２０）それぞれは、少なくとも１つのバックエンド通信信号（１０１ａ＿１、１０１ａ＿２、１０１ｂ＿１、１０１ｂ＿２）を前記第１及び／又は前記第２の基地局ネットワーク・グループ（１００ａ、１００ｂ）に伝送するために超極短波を使用するように、且つ少なくとも１つのフロントエンド通信信号（２１ａ＿１、２１ａ＿２、２１ｂ＿１、２１ｂ＿２）を前記第１及び／又は前記第２のユーザー機器（２０、２０ａ、２０ｂ）に伝送するために極高周波を使用するように、且つ前記バックエンド通信信号（１０１ａ＿１、１０１ａ＿２、１０１ｂ＿１、１０１ｂ＿２）を介して受信されるペイロード信号を転送するように、且つ周波数を前記極超短波から前記極高周波に変換する間に、前記フロントエンド通信信号（２１ａ＿１、２１ａ＿２、２１ｂ＿１、２１ｂ＿２）を介して伝送されるように、且つ前記フロントエンド通信信号（２１ａ＿１、２１ａ＿２、２１ｂ＿１、２１ｂ＿２）を介して受信される前記ペイロード信号を転送するように、且つ周波数を前記極高周波から前記極超短波に変換する間に、前記バックエンド通信信号（１０１ａ＿１、１０１ａ＿２、１０１ｂ＿１、１０１ｂ＿２）を介して伝送されるように構成され、
前記第１のユーザー機器（２０、２０ａ、２０ｂ）は、第１のフロントエンド通信信号（２１ａ＿１、２１ａ＿２、２１ｂ＿１、２１ｂ＿２）を介して前記第１のＳＵＤＡＣ（２１０、２２０）と、且つ第２のフロントエンド通信信号（２１ａ＿１、２１ａ＿２、２１ｂ＿１、２１ｂ＿２）を介して第２のＳＵＤＡＣ（２１０、２２０）と、又は直接的な通信信号（１０２）を介して直接的に前記第１の基地局ネットワーク・グループと通信するように構成され、前記第１のフロントエンド通信信号（２１ａ＿１、２１ａ＿２、２１ｂ＿１、２１ｂ＿２）は、前記第１のＳＵＤＡＣ（２１０、２２０）によって前記第１の基地局ネットワーク・グループ（１００ａ、１００ｂ）との通信のために使用される第１のバックエンド通信信号（１０１ａ＿１、１０１ａ＿２、１０１ｂ＿１、１０１ｂ＿２）に変換され、且つ前記第２のフロントエンド通信信号（２１ａ＿１、２１ａ＿２、２１ｂ＿１、２１ｂ＿２）は、前記第２のＳＵＤＡＣ（２１０、２２０）によって前記第１の基地局ネットワーク・グループ（１００ａ、１００ｂ）との通信のために使用される第２のバックエンド通信信号（１０１ａ＿１、 １０１ａ＿２、 １０１ｂ＿１、 １０１ｂ＿２）に変換され、
前記第２のユーザー機器（２０、２０ａ、２０ｂ）は、第１のフロントエンド通信信号（２１ａ＿１、２１ａ＿２、２１ｂ＿１、２１ｂ＿２）を介して前記第１のＳＵＤＡＣ（２１０）と、且つ第２のフロントエンド通信信号（２１ａ＿１、２１ａ＿２、２１ｂ＿１、２１ｂ＿２）を介して前記第２のＳＵＤＡＣ（２２０）と、又は直接的な通信信号（１０２）を介して直接的に前記第２の基地局ネットワーク・グループと通信するように構成され、前記第１のフロントエンド通信信号（２１ａ＿１、２１ａ＿２、２１ｂ＿１、２１ｂ＿２）は、前記第２のＳＵＤＡＣ（２１０、２２０）によって前記第２の基地局ネットワーク・グループ（１００ａ、１００ｂ）との通信のために使用される第１のバックエンド通信信号（１０１ａ＿１、１０１ａ＿２、１０１ｂ＿１、１０１ｂ＿２）に変換され、且つ前記第２のフロントエンド通信信号（２１ａ＿１、２１ａ＿２、２１ｂ＿１、２１ｂ＿２）は、前記第１のＳＵＤＡＣ（２１０、２２０）によって前記第２の基地局ネットワーク・グループ（１００ａ、１００ｂ）との通信のために使用される第２のバックエンド通信信号（１０１ａ＿１、１０１ａ＿２、１０１ｂ＿１、１０１ｂ＿２）に変換され、
前記第１及び前記第２のユーザー機器（２０、２０ａ、２０ｂ）は、利用可能なデータ速度を向上させるために、前記第１及び前記第２のフロントエンド通信信号（２１ａ＿１、２１ａ＿２、２１ｂ＿１、２１ｂ＿２）又は前記第１のフロントエンド通信信号（２１ａ＿１、２１ａ＿２、２１ｂ＿１、２１ｂ＿２、１０１ａ＿１、１０１ａ＿２、１０１ｂ＿１、１０１ｂ＿２）と、前記直接的な通信信号（１０２）とを統合するように構成され、
前記方法は、
前記第１及び／又は第２のユーザー機器（２０、２０ａ、２０ｂ）の及び／又は前記第１及び／又は第２の基地局ネットワーク・グループ（１００ａ、１００ｂ）の要求を考慮して、且つ／又は前記第１及び前記第２のユーザー機器（２０、２０ａ、２０ｂ）の前記第１のフロントエンド通信信号（２１ａ＿１、２１ａ＿２、２１ｂ＿１、２１ｂ＿２）、並びに前記第１及び前記第２のユーザー機器（２０、２０ａ、２０ｂ）の前記第２のフロントエンド通信信号（２１ａ＿１、２１ａ＿２、２１ｂ＿１、２１ｂ＿２）が互いに識別可能であるように、且つ／又は伝送損失が前記第１のフロントエンド通信信号（２１ａ＿１、２１ａ＿２、２１ｂ＿１、２１ｂ＿２）の中での干渉によって引き起こされ、且つ前記第１及び第２のユーザー機器（２０、２０ａ、２０ｂ）の前記第２のフロントエンド通信信号（２１ａ＿１、２１ａ＿２、２１ｂ＿１、２１ｂ＿２）が減じられるように、
第１のリソースを選択するステップと、前記第１のリソースの第１の部分は、前記第１のフロントエンド通信信号（２１ａ＿１、２１ａ＿２、２１ｂ＿１、２１ｂ＿２）の及び前記対応する第１のバックエンド通信信号（１０１ａ＿１、１０１ａ＿２、１０１ｂ＿１、１０１ｂ＿２）の設定を特徴付け、且つ前記第１のリソースの第２の部分は、前記第１のユーザー機器（２０、２０ａ、２０ｂ）のために、前記第２のフロントエンド通信信号（２１ａ＿１、２１ａ＿２、２１ｂ＿１、２１ｂ＿２）の及び前記対応する第２のバックエンド通信信号（１０１ａ＿１、１０１ａ＿２、１０１ｂ＿１、１０１ｂ＿２）の設定を特徴付け、
第２のリソースを選択するステップと、を備え、前記第２のリソースの第１の部分は、前記第１のフロントエンド通信信号（２１ａ＿１、２１ａ＿２、２１ｂ＿１、２１ｂ＿２）の及び前記対応する第１のバックエンド通信信号（１０１ａ＿１、１０１ａ＿２、１０１ｂ＿１、１０１ｂ＿２）の設定を特徴付け、且つ前記第２のリソースの第２の部分は、前記第２のユーザー機器（２０、２０ａ、２０ｂ）のために、前記第２のフロントエンド通信信号（２１ａ＿１、２１ａ＿２、２１ｂ＿１、２１ｂ＿２）の及び前記対応する第２のバックエンド通信信号（１０１ａ＿１、１０１ａ＿２、１０１ｂ＿１、１０１ｂ＿２）の設定を特徴付ける、方法
【請求項２０】
コンピュータで動作するとき、請求項１９に記載の方法を実行するためのプログラム・コードを有するコンピュータ・プログラムをそこに記憶されたコンピュータ読み取り可能なデジタル記憶媒体。
【請求項２１】
ＳＵＤＡシステム（２００）の制御器（５０）であって、前記ＳＵＤＡシステム（２００）は、第１の基地局ネットワーク・グループ（１００´）、少なくとも１つの第１のＳＵＤＡＣ（２１０、２２０）及び少なくとも１つの第１のＢＳ−ＳＵＤＡＣ（２６０、２７０）並びに第１のユーザー機器（２０、２０ａ）を備え、
ＳＵＤＡＣ（２１０、２２０）それぞれは、少なくとも１つのバックエンド通信信号（１０１ａ＿１、１０１ａ＿２、１０１ｂ＿１、１０１ｂ＿２）を前記第１の基地局ネットワーク・グループ（１００ａ、１００ｂ）に又は少なくとも１つのバックエンド間の通信信号（１０３）を前記ＢＳ−ＳＵＤＡＣ（２６０、２７０）に伝送するために極超短波を使用するように、且つ少なくとも１つのフロントエンド通信信号（２１ａ＿１、２１ａ＿２、２１ｂ＿１、２１ｂ＿２）を前記第１のユーザー機器（２０、２０ａ、２０ｂ）に伝送するために極高周波を使用するように、且つ前記バックエンド通信信号（１０１ａ＿１、１０１ａ＿２、１０１ｂ＿１、１０１ｂ＿２）を介して受信される又は前記バックエンド間の通信信号（１０３）を介して受信されるペイロード信号を転送するように、且つ周波数を前記極超短波から前記極高周波に変換する間に、前記フロントエンド通信信号（２１ａ＿１、２１ａ＿２、２１ｂ＿１、２１ｂ＿２）を介して伝送されるように、且つ前記フロントエンド通信信号（２１ａ＿１、２１ａ＿２、２１ｂ＿１、２１ｂ＿２）を介して受信される前記ペイロード信号を転送するように、且つ周波数を前記極高周波から前記極超短波に変換する間に、前記バックエンド通信信号（１０１ａ＿１、１０１ａ＿２、１０１ｂ＿１、１０１ｂ＿２）を介して伝送されるように又は前記バックエンド間の通信信号（１０３）を介して伝送されるように構成され、
ＢＳ−ＳＵＤＡＣ（２６０、２７０）それぞれは、少なくとも１つのフロントエンド通信信号（２２）を前記第１の基地局ネットワーク・グループ（１００´）に伝送するために極高周波を使用するように、且つ少なくとも１つのバックエンド間の通信信号（１０３）を前記第１のＳＵＤＡＣ（２１０、２２０）に伝送するために又は少なくとも１つのバックエンド通信信号（１０１ａ＿１、１０１ａ＿２、１０１ｂ＿１、１０１ｂ＿２）を前記第１のユーザー機器（２０、２０ａ、２０ｂ）に伝送するために極超短波を使用するように、且つ前記フロントエンド通信信号（２２）を介して受信されるペイロード信号を転送するように、且つ周波数を前記極高周波から前記極超短波に変換する間に、前記バックエンド間の通信信号（１０３）を介して又は前記バックエンド通信信号（１０１ａ＿１、１０１ａ＿２、１０１ｂ＿１、１０１ｂ＿２）を介して伝送されるように、且つ前記バックエンド間の通信信号（１０３）を介して受信される又は前記バックエンド通信信号（１０１ａ＿１、１０１ａ＿２、１０１ｂ＿１、１０１ｂ＿２）を介して受信される前記ペイロード信号を転送するように、且つ周波数を前記極超短波から前記極高周波に変換する間に、前記フロントエンド通信信号（２２）を介して伝送されるように構成され、
前記第１のユーザー機器（２０、２０ａ）は、第１の直接的な通信信号（１０１）を介して前記第１の基地局グループと直接的に、又は第１のフロントエンド通信信号（２１ａ＿１）を介して前記第１のＳＵＤＡＣ（２１０）と通信するように構成され、前記第１のフロントエンド通信信号（２１ａ＿１）は、前記第１のＳＵＤＡＣ（２１０）によって前記第１の基地局ネットワーク・グループ（１００ａ）との通信のために使用される第１のバックエンド通信信号（１０１ａ＿１）に変換され、且つ／又は前記第１のフロントエンド通信信号（２１ａ＿１）は、前記第１のＳＵＤＡＣ（２１０）によって前記ＢＳ−ＳＵＤＡＣ（２６０、２７０）を介して前記第１の基地局ネットワーク・グループ（１００ａ）との通信のために使用される第１のバックエンド間の通信信号（１０１ａ＿１）に変換され、
前記制御器（５０）は、第１のリソースを選択するように構成され、前記第１のユーザー機器（２０、２０ａ、２０ｂ）の及び／又は前記第１の基地局ネットワーク・グループ（１００ａ、１００ｂ）のデータ速度要求及び／又はデータ速度能力を考慮して、且つ／又は前記第１のユーザー機器（２０、２０ａ、２０ｂ）の前記第１のフロントエンド通信信号（２１ａ＿１、２１ａ＿２）が他の信号と識別可能であるように、且つ／又は前記第１のユーザー機器（２０、２０ａ、２０ｂ）の前記第１のフロントエンド通信信号（２１ａ＿１、２１ｂ＿１）の中での干渉によって引き起こされる伝送損失が減じられるように、前記第１のリソースの第１の部分は、前記第１のフロントエンド通信信号（２１ａ＿１、２１ａ＿２）の及び前記対応する第１のバックエンド通信信号（１０１ａ＿１、１０１ａ＿２）の又は前記バックエンド間の通信信号（１０３）の設定を特徴付ける、制御器。
【請求項２２】
前記ＳＵＤＡＣ（２１０、２２０）及び／又は前記ＢＳ−ＳＵＤＡＣ（２６０、２７０）は、ユーザー機器（２０、２０ａ、２０ｂ）によって形成される、請求項２１に記載の制御器。
【請求項２３】
前記制御器（５０）は、前記第１のユーザー機器（２０、２０ａ、２０ｂ）が前記第１のフロントエンド通信信号（２１ａ＿１）を介して、装置−装置作動モードを作動するために前記第１のＳＵＤＡＣ（２１０）を形成する更なるユーザー機器と通信するように、前記第１のリソースを選択するように構成される、請求項２１又は２２に記載の制御器。
【発明の詳細な説明】
【技術分野】
【０００１】
本発明の実施形態は、（共有ユーザー機器側分散アンテナ・システム（Ｓｈａｒｅｄ  Ｕｓｅｒ  Ｅｑｕｉｐｍｅｎｔ−Ｓｉｄｅ  Ｄｉｓｔｒｉｂｕｔｅｄ  Ａｎｔｅｎｎａ  Ｓｙｓｔｅｍ）としても称される）ＳＵＤＡシステムのための制御器、ＳＵＤＡシステムを制御するための方法及びコンピュータ・プログラムに関する。
【背景技術】
【０００２】
既にそれらの進展の間に、（ＬＴＥ−Ａｄｖａｎｃｅｄのような）現在の４Ｇモバイル通信システムは、ユーザーに提供され得るデータ速度（ｄａｔａ  ｒａｔｅ）の不足に苦しむと思われる。将来において、主に動画コンテンツの受信に起因して、ユーザーによって要求されるデータ速度が相当に増大することが予想される。非線形のＴＶ／動画、すなわち、その消費のまさにその瞬間に放送されない動画コンテンツの増大する消費という傾向がある。（ＴＶチャンネルのメディア・センターのような）その伝送の後で幾らか後ほど消費され、且つその消費までユーザー機器（ＵＥ）においてキャッシュの中で記憶され得る、動画コンテンツに加えて、ＹｏｕＴｕｂｅ（登録商標）動画のような従来の放送システム（衛星、地上波、ケーブルＴＶ）によって簡単に配信され得るコンテンツの広大な領域がある。家庭において同時に消費されるコンテンツは、例えば、超高解像度ＴＶ（ＵＨＤＴＶ）又は（専用の３Ｄ眼鏡を用いる又は用いない）３Ｄコンテンツのために、高いデータ速度をますます要求する。
【０００３】
さらに、人々は、ますます大きなファイルを交換、すなわち、ダウンロード及びアップロードする。これが、現在、数メガバイトの写真である一方で、人々は将来においてそれらのモバイル装置から多くのギガバイトの完全な映画をダウンロードするだろう。そのようなアクションのために、１０ギガビット／ｓ程度の非常に高いデータ速度が将来に対して現実的な要求であるように、人々は可能な限り短いダウンロード時間を維持したがる。人々が未来においてより大きな程度でクラウド・サービスを使用するだろうように、人々がモバイル・ネットワークのカバレッジを残す又は入るとき、すなわち、これらがオフラインになる前に且つこれらがオフライン状態から戻った後で、クラウドを伴うモバイル装置でコンテンツの早い同期の必要性があるだろう。同期を取るためのデータ量は、かなり大きくあり得る。これの全ては、非常に高いデータ速度での伝送が多くの（モバイル及び固定の）装置のために将来において必須であることを示す。
【０００４】
そのような大きなファイルをダウンロードするために、ＬＴＥのようなモバイル通信を使用することに代わるものは、それが無線（ＷＬＡＮ、Ｗｉ−Ｆｉ）であろうと、有線（イーサネット（登録商標））であろうと、ローカル・エリア・ネットワーク（ＬＡＮ）の採用である。しかしながら、基幹（ｂａｃｋｂｏｎｅ）ネットワークから家庭までのラスト・マイルは、光ファイバーが使用される場合（ファイバー・トゥ・ザ・ホームＦＴＴＨ）を除いて、Ｇｂｉｔ／ｓの範囲において要求される高いデータ速度をサポートし得ない。しかしながら、家庭にＦＴＴＨを備え付けるためのコストは非常に高く、例えばドイツに限っては、建物ごとにＦＴＴＨを備え付けるコストは、約９３０億ユーロと見積もられる。したがって、ラスト・マイルは、結局のところ、主に無線通信になるだろう。これは、ブロードバンドを建物及びとりわけその部屋ごとに持ち込むためのコストを減じる。
【０００５】
さらに、殆どの家庭は、ラスト・マイルで受信されたデータをさらに配信する専用の有線ＬＡＮインフラ（イーサネット（登録商標））を所有しない。すなわち、殆どの家庭は、それらのアクセス・ポイント（ＡＰ）によってそれらの装置をインターネットに接続するためにＷｉ−Ｆｉを採用し、そこでＡＰはラスト・マイルの終点を表わす。Ｇｂｉｔ／ｓのデータ速度に到達するために、イーサネット（登録商標）・ソケット又はＡＰのどちらかが家庭又はオフィス・ビルごとの部屋それぞれにおいて存在しなければならないことが観測されるべきである。それ故に、建物それぞれの部屋それぞれを接続するコストは、上述された建物を接続するための価格に追加されなければならない。
【０００６】
図９ａは、基地局１０と、家庭のような既知の環境において配置される１つ以上のユーザー機器２０ａ及び２０ｂとの間でのデータ信号を交換するためのアート・アプローチの状態の典型的な状況を示す。例示されるように、ユーザー機器２０ａ及び２０ｂは、スマートフォン、タブレットＰＣ又はノート型パソコンであり得る。ユーザー機器２０ａ／２０ｂと基地局１０との間での交換は、小さいセル基地局３０を用いて実行される。
【０００７】
ここで、アクセス・ポイントしてもまた参照される小さいセル基地局３０は、複数のアンテナによってインターネット・バックグラウンドへの接続を可能にする基地局１０に接続される。詳細には、基地局１０は、３つのアンテナ１２ａ、１２ｂ及び１２ｃを有する。アクセス・ポイント１３は、２つのアンテナ３２ａ及び３２ｂを有する。そのような機器構成において、基地局１０及びアクセス・ポイント３０は、３×２ＭＩＭＯシステム（ＭＩＭＯ：多重入出力）を形成する。これは、２倍の空間的な多重化が、それがＵＭＴＳ又はＬＴＥのような通信規格のために実装され又は計画されるように使用され得るという目的を有する。アクセス・ポイント３０は、例えば、Ｗｉ−Ｆｉのような短距離の無線通信規格を使用することによって、データをユーザー機器２０ａ及び２０ｂに転送する。示された例において、ユーザー機器２０ａ及び２０ｂが（参照番号によってマークされない）２つのアンテナを所有するので、アクセス・ポイント３０と共に２つの２×２ＭＩＭＯシステムは、再び２倍の空間的な多重化が使用され得るように形成される。そのようなＷｉ−Ｆｉシステムが典型的には（３０と１０の間での）モバイル通信システムよりも異なる周波数バンドを使用することを留意されたい。
【０００８】
図１０ｂは簡単な代替を示し、アクセス・ポイントが家庭において存在しない。ここで、ユーザー機器２０ａ及び２０ｂは、直接的に基地局１０に接続される。２つの３×２ＭＩＭＯシステムは、ユーザー機器２０ａ及び２０ｂが少なくとも２つのアンテナを所有するという事実に起因して存在する。基地局３０は、３つのアンテナ１２ａ、１２ｂ及び１２ｃを所有する。これは、２倍の空間的な多重化が使用され得ることを可能にする。
【０００９】
不幸にも、現在の４Ｇ及びＷｉ−Ｆｉシステムは、上述された高いデータ速度に到達し得ない。基地局（又はＷｉ−Ｆｉの場合におけるＡＰそれぞれ）の伝送アンテナごとに伝送され得る容量は、使用される信号配列によって制限され、且つ簡単には、その上、受信アンテナごとに受信される容量は、使用される信号配列によって制限されない。例えば、６４ＱＡＭ配列を使用することは、伝送又は受信アンテナごとに６ｂｉｔ／ｓ／Ｈｚよりも高いスペクトル効率に到達し得ない。それ故に、通信リンクの全体的なデータ速度を向上させる２つの方法がある。
【００１０】
第１に、：利用可能な周波数バンド幅を増加させる：現在のシステムは、（６ＧＨｚを上回る幾らかのＷｉ−Ｆｉ周波数バンドの除外によって）サブ６ＧＨｚにおいて主に働く。この範囲における周波数は、様々なアプリケーション及びサービスの後に求められ、且つそれ故に乏しい。或いは、更なるデジタル配当が現在もなおＴＶ放送によって占有されるスペクトル部から取得され得る。
【００１１】
第２に、：伝送及び受信アンテナの数を増加させる。：或いは、例えば分散アンテナ・システム（ＤＡＳ）を使用して、基地局側でアンテナの数が著しく増加され得る。しかしながら、ユーザー機器（ＵＥ）側に対して、終点の物理的次元は、統合され得るアンテナの数を制限する。伝送それぞれと受信アンテナそれぞれとの間でのチャンネル係数の十分な非相関を達成するために、複数の伝送アンテナの間に且つ複数の受信アンテナの間にもまた間隔を空けることは、少なくとも０．５・λ［ｇｅｓｂｅｒｔ０３］であるべきである。ここで、λは採用される波長である。１ＧＨｚのキャリア周波数に対してλは３０ｃｍであり、且つ６ＧＨｚに対してそれは５ｃｍである。したがって、現在のハンドヘルドのユーザー機器は、典型的には２つのアンテナのみを運び、且つタブレット又はノート型パソコン・サイズのユーザー機器に対してさえ、４つのアンテナは、複数のアンテナの間で結果として生じる相関のために１つのアンテナのスループットを４回提供することもない。４つ以上のアンテナは、如何なるハンドヘルドのユーザー機器装置に対しても有用であると考えられない。
【００１２】
0006282380.tif 000002
【００１３】
したがって、他の解決策がこの問題のために必要とされる。近年において、研究者は、次世代モバイル通信システム５Ｇがどのようであり得るかの調査を始めた。最も魅力的なアイデアの１つは、ミリ波に対して、すなわち、周波数範囲３０乃至３００ＧＨｚに対して使用されるスペクトルを拡張することである。数百ＭＨｚ又は数ＧＨｚでさえの周波数バンドが現在もなおあり、それはモバイル通信を利用可能にし得る。これは、空間的な効率性は上記の例において示されるのと同じ高さである必要がないように、十分なバンド幅を提供するために非常に有益であるだろう。しかしながら、そのような高い周波数での信号に対するカバレッジの範囲は、サブ６ＧＨｚバンドの場合よりも非常に小さい。例えば、酸素分子は、５７と６４ＧＨｚの間でその共振周波数を有する。この周波数範囲の中で、酸素は伝送電力の殆どを消耗する。建物の壁は、極めて大きい減衰を引き起こすミリ波の重大な障害でもある。ミリ波通信は光伝搬と非常に似ており、それは、通信リンクが見通し外（ＮＬＯＳ）であるとき、殆ど如何なる通信も許さない。
【００１４】
これらの議論は、５Ｇ殆どに対して２階層ネットワークの概念が考慮される理由である。この概念は、ＡＰがスモール・セル・ベース・ステーション（ＳＣＢＳ）に取って代わられ、且つＷｉ−Ｆｉ接続（固定ライン）がミリ波リンクに取って代わられるとき、図１０ａにおいて示されるものと実際のところ類似する。Ｗｉ−Ｆｉのようなシステムのための複数のＡＰがＳＣＢＳと非常に類似するように、両方は続編において用語ＳＣＢＳによって表現されるだろうが、一方で、用語基地局（ＢＳ）はこのドキュメントにおいてマイクロセル基地局を表現する。名称「２階層ネットワーク」は、第１の階層において、データが基地局とＳＣＢＳの間で交換され、一方で、第２の階層において、データ交換がＳＣＢＳとユーザー機器の間で発生するという事実に由来する。
【００１５】
そのようなシステムに対する（有線又はマイクロ波リンク）バックホーリングは、基幹に対してＳＣＢＳではなく、基地局のみに接続されるべきであり、それは全体的なシステムの比較的控えめなコストを保証する。
【００１６】
しばしば、通信リンクの両端（ソース及び目的地）は、同じ小さいセルの中に配置され（例えば、家庭の内側のサーバーから同じ建物におけるユーザー機器まで動画をダウンロードすること）、しかし他の場合において、ユーザーが基地局から又はへと提供される（例えば、クラウドからユーザー機器に動画をダウンロードする）ために高いデータ速度を要求する。この場合において、類似するデータ速度制限は、上記の例において示されたような基地局とＳＣＢＳの間のリンクを求める。ＳＣＢＳが基地局のためにサブ６ＧＨｚ通信ごとに６つのアンテナを所有することを我々に推測させ、それは、ＳＣＢＳのような比較的小さい装置ごとに相当に沢山のアンテナに既にあるが、しかしそれは、最大６倍の空間的な多重化を許すだろう。上記の例に戻ると、１０Ｇｂｉｔ／ｓを達成するために、空間的なストリームそれぞれが約１１．１ｂｉｔ／ｓｙｍｂｏｌの空間的な効率性を現在もなお達成するべきである。それは、少なくとも１０２４ＱＡＭ又は４０９６ＱＡＭが空間ストリームそれぞれにおいて使用されるべきであることを意味する。そのような大きな配列は、働くために非常に高いＳＮＲを必要とし、且つ（不完全なチャンネル推定、位相ノイズ、伝送器及び受信非線形性、信号量子化などに起因して）正確に復調することが困難である。さらに、そのようなＳＣＢＳは、殆どの部屋ごとに置かれるべきであり、且つ空間において十分にその６つのアンテナを分離するためにかなり大きく且つそれによってこれらの伝搬経路それぞれの相関を失わせるべきである。両方のポイントから、マイクロセル基地局とＳＣＢＳの間でのマイクロセルにおける通信は、全体的な通信システムに対してある種のボトルネックを表現する。
【発明の概要】
【発明が解決しようとする課題】
【００１７】
したがって、アプローチを改善する必要性がある。本発明の目的は、上記で議論された難点を避ける一方で正確な基地局リソースに基づき高いデータ速度を可能とする普遍的に適用可能な通信システム、及び通信システムを効率的に体系化するための方法を提供することである。
【００１８】
この目的は、独立請求項の主題によって解決される。
【課題を解決するための手段】
【００１９】
一実施形態は、ＳＵＤＡＣシステムの制御器を提供する。ＳＵＤＡシステムは、第１の基地局ネットワーク・グループ及び第２の基地局ネットワーク・グループ、少なくとも１つのＳＵＤＡＣ（データを転送する構成可能な中継として記述され簡易化され得る、ＳＵＤＡ構成要素）、並びに（例えば、両方が同じ電気通信提供者に属する）第１の基地局ネットワーク・グループに割り当てられる第１のユーザー機器及び第２の基地局ネットワーク・グループに割り当てられる第２のユーザー機器を備える。ＳＵＤＡＣそれぞれは、（例えば、５Ｇ又はＬＴＥを介してＳＵＤＡＣとＢＳの間で）少なくとも１つのバックエンド通信信号を第１及び／又は第２の基地局ネットワーク・グループに伝送するために極超短波（例えば、サブ６Ｇｈｚ）を使用するように、且つ（いわゆる短距離通信を使用するＵＥとＳＵＤＡＣの間で）少なくとも１つのフロントエンド通信信号を第１及び／又は第２のユーザー機器に伝送するために極高周波（例えば、６０Ｇｈｚ）を使用するように、且つバックエンド通信信号を介して受信されるペイロード信号を転送するように、且つ周波数を極超短波から極高周波に変換する間に、フロントエンド通信信号を介して伝送されるように、且つフロントエンド通信信号を介して受信されるペイロード信号を転送するように、且つ周波数を極高周波から極超短波に変換する間に、バックエンド通信信号を介して伝送されるように構成される。第１のユーザー機器は、第１のフロントエンド通信信号を介して第１のＳＵＤＡＣと、且つ第２のフロントエンド通信信号を介して第２のＳＵＤＡＣと、又は直接的な通信信号を介して直接的に第１の基地局ネットワーク・グループと通信するように構成される。第１のフロントエンド通信信号は、第１のＳＵＤＡＣによって第１の基地局ネットワーク・グループとの通信のために使用される第１のバックエンド通信信号に変換される。そして、第２のフロントエンド通信信号は、第２のＳＵＤＡＣによって第１の基地局ネットワーク・グループとの通信のために使用される第２のバックエンド通信信号に変換される。第２のユーザー機器は、第１のフロントエンド通信信号を介して第１のＳＵＤＡＣと、且つ第２のフロントエンド通信信号を介して第２のＳＵＤＡＣと、又は直接的な通信信号を介して直接的に第２の基地局ネットワーク・グループと通信するように構成される。第１のフロントエンド通信信号は、第２のＳＵＤＡＣによって第２の基地局ネットワーク・グループとの通信のために使用される第１のバックエンド通信信号に変換される。そして、第２のフロントエンド通信信号は、第１のＳＵＤＡＣによって第２の基地局ネットワーク・グループとの通信のために使用される第２のバックエンド通信信号に変換される。第１及び第２のユーザー機器は、利用可能なデータ速度を向上させるために第１及び第２のフロントエンド通信信号又は第１のフロントエンド通信信号と直接的な通信信号とを統合するように構成される。制御器は、第１のリソースを選択するように構成される。利用可能なデータ速度が、与えられるキャリア周波数、キャリア間隔、バンド幅、電力など、及び／又は与えられるデータ速度を与えられるユーザーに提供することの優先順位付けに関するネットワーク業者によって定義される方針規制をサポートするために、ユーザー機器のその要求及び／又は能力、複数のＳＵＤＡＣ及び／又は基地局ネットワーク・グループに従って、ユーザー機器それぞれに割り当てられるように、且つ／又は第１及び第２のユーザー機器の第１のフロントエンド通信信号及び第２のフロントエンド通信信号の中での干渉によって引き起こされる伝送損失が減じられるように、第１のリソースの第１の部分は、第１のユーザー機器のために且つ第２のリソースを選択するために、第１のフロントエンド通信信号の及び対応する第１のバックエンド通信信号の設定を特徴付け、且つ第１のリソースの第２の部分は、第２のフロントエンド通信信号の及び対応する第２のバックエンド通信信号の設定を特徴付け、第２のリソースの第１の部分は、第２のユーザー機器のために、第１のフロントエンド通信信号の及び対応する第１のバックエンド通信信号の設定を特徴付け、且つ第２のリソースの第２の部分は、第２のフロントエンド通信信号の及び対応する第２のバックエンド通信信号の設定を特徴付ける。有利には、制御器は、複数のＳＵＤＡＣを備える１つのＳＵＤＡシステムが異なる電気通信提供者に属する複数のユーザー機器のための中継ネットワークとして役立つことを可能にする。
【００２０】
ここにおいて明らかにされる教示は、利用可能なデータ速度を高めるために、第１の通信及び第２の通信によってのようにここで参照されるように、並行して２つの通信チャンネルを構築することによって、携帯電話又はスマートフォンのようなユーザー機器と、例えば電気通信提供者の基地局との間の接続を改善することを可能にする複数のＳＵＤＡＣ（構成可能な中継局）を備える、ＳＵＤＡシステムに関連する。詳細には、１つのユーザー機器からの複数の通信信号（第１の通信信号及び第２の通信信号を参照）は、フロントエンド通信を介して、バックエンド通信信号のような通信信号を基地局グループそれぞれに転送する複数のＳＵＤＡＣに交換される。データ速度に関する改善は、バックエンド通信が、（ＬＴＥのような）従来のＭＩＭＯ通信システムに基づき、しかし、並行な通信チャンネルの増加された数が一層容易に構築され得るように互いから空間を空けられるＳＵＤＡＣＳによって実行される間に、フロントエンドが短距離通信技術（例えば、６０ＧＨｚ通信）を使用するという事実に起因して達成される。ＳＵＤＡＣシステムは、複数のユーザー機器に対するＳＵＤＡシステムの良好な使用を許すために効果的に制御されるべきである。したがって、ここで明らかにされる技術は、複数のＳＵＤＡＣが、例えば異なる電気通信提供者の、異なる基地局グループに割り当てられる異なるユーザー機器によって使用され得るという手段で、ＳＵＤＡシステムを制御するための制御器を提供する。制御は、１つのＳＵＤＡシステムの複数のＳＵＤＡＣを介して伝送される異なるユーザー機器のチャンネル（第１の通信チャンネル及び第２の通信チャンネル）それぞれが互いから分離されるように、実行される。
【００２１】
一実施形態によれば、分離は、異なるリソース、例えば、時間におけるリソース若しくは周波数におけるリソース又は使用される（拡散）コードに関するリソースを、異なる通信チャンネルに割り当てることによってなされ得る。詳細には、制御器は、一実施形態によれば、ＴＤＭ／ＴＤＭＡ変調を実行するために、第１及び第２のユーザー機器の、及び時間スロットそれぞれを第１及び第２のフロントエンド通信信号に且つ／又は第１及び第２のバックエンド通信信号に割り当てることによってメモリを備える第１及び第２のＳＵＤＡＣの、時間リソースを、制御信号を介して制御するように構成される。更なる実施形態によれば、制御器は、ＦＤＭ／ＦＤＭＡ変調を実行するために、第１及び第２のユーザー機器の、及びキャリア周波数それぞれを第１及び第２のフロントエンド通信信号に且つ／又は第１及び第２のバックエンド通信信号に割り当てることによって周波数及び多重化変換器を備える第１及び第２のＳＵＤＡＣの、周波数リソースを、制御信号を介して制御するように構成される。他の実施形態によれば、且つ制御器は、ＣＤＭ／ＣＤＭＡ変調を実行するために、第１及び第２のユーザー機器の、及び空間的なコーディング体系それぞれを、第１及び第２のフロントエンド通信信号に且つ／又は第１及び第２のバックエンド通信信号に割り当てることによって処理装置を備える第１及び第２のＳＵＤＡＣの、コード・リソースを、制御信号を介して制御するように構成される。その上、制御器は、ＳＤＭ／ＳＤＭＡ変調を実行するために、第１の通信信号それぞれ及び／又は第２のフロントエンド通信信号を複数のＳＵＤＡＣそれぞれに伝送することによって、仮想のアンテナとして第１及び第２のＳＵＤＡＣを使用して、第１及び第２のユーザー機器の空間リソースを、制御信号を介して制御するように構成される、一実施形態に従う。制御器は、キャリア周波数、キャリア間隔、信号電力、偏向タイプ、アンテナ要素のインデックス、ビーム形成パラメータ及び／又はＤＳＳＳ拡散パラメータを備えるグループからの変動要因を備える更なるリソースを、制御信号を介して制御するように構成され得る。
【００２２】
更なる実施形態によれば、制御器は第１及び第２のＳＵＤＡＣを制御し、それは構成可能であり、且つ時間、周波数及び／又はコードに関して多重化タイプを変更する間に、制御器によって選択され、第１のユーザー機器に対する設定に依存して、第１のユーザー機器から第１の基地局グループに又は第１の基地局グループから第１のユーザー機器にペイロード信号を転送するように構成される周波数及び多重化変換器を備える。そして、第１及び第２のＳＵＤＡＣは、時間、周波数及び／又はコードに関して多重化タイプを変更する間に、制御器によって選択され、第２のユーザー機器に対する設定に依存して、第２のユーザー機器から第２の基地局グループに又は第２の基地局グループから第２のユーザー機器にペイロード信号を転送するように構成される周波数及び多重化変換器を備える。
【００２３】
追加の一実施形態によれば、制御器は、ユーザー機器へと実装され得又は共有制御器として実装され得る。すなわち、制御器は、複数のユーザー機器のような複数のエンティティによって実行される制御アルゴリズムとして実装される。
【００２４】
更なる一実施形態によれば、ＳＵＤＡシステムを制御するための方法は、第１及び第２のユーザー機器の第１のフロントエンド通信信号、並びに第１及び第２のユーザー機器の第２のフロントエンド通信信号が互いに識別可能であるように、且つ／又は第１及び第２のユーザー機器の第１のフロントエンド通信信号及び第２のフロントエンド通信信号の中での干渉によって引き起こされる伝送損失が減じられるように、第１及び第２のリソースを選択するステップを備える。
【００２５】
更なる一実施形態によれば、制御器は、第１の基地局ネットワーク・グループ、少なくとも１つの第１のＳＵＤＡＣ及び少なくとも１つの第１のＢＳ−ＳＵＤＡＣ並びに第１のユーザー機器を備えるシステムを制御する。ＢＳ−ＳＵＤＡＣは基地局のためにＳＵＤＡＣを表現し、それはここでは一家庭の基地局であり得る。
【００２６】
更なる一実施形態によれば、この方法のためのコンピュータ・プログラムが提供される。
【００２７】
本発明の実施形態は、添付の図面を参照して以下で議論されるだろう。
【図面の簡単な説明】
【００２８】
【図１ａ】図１ａは、基地局システム、ＳＵＤＡシステム及び少なくとも１つのユーザー機器を備えるシステムの略ブロック図を示す。
【図１ｂ】図１ｂは、第１の実施形態に係る制御器によって制御される図１ａのシステムの強化された実装を示す。
【図１ｃ】図１ｃは、一実施形態に係る図１ｂの制御器の更なるユース・ケースを示す。
【図１ｄ】図１ｄは、図１ａによって記述されるシステムの強化された実装を示す。
【図２】図２は、異なる周波数でサブ・バンドをユーザー機器に伝送する２つのＳＵＤＡＣのためのフロントエンド・ダウンリンクを例示する概略図を示す。
【図３ａ】図３ａは、上記の実施形態の異なるシナリオ（複数のＵＥ、複数のＳＵＤＡＣ及び複数のＢＳの組み合わせ）を例示する略ブロック図を示す。
【図３ｂ】図３ｂは、上記の実施形態の異なるシナリオ（複数のＵＥ、複数のＳＵＤＡＣ及び複数のＢＳの組み合わせ）を例示する略ブロック図を示す。
【図３ｃ】図３ｃは、上記の実施形態の異なるシナリオ（複数のＵＥ、複数のＳＵＤＡＣ及び複数のＢＳの組み合わせ）を例示する略ブロック図を示す。
【図３ｄ】図３ｄは、上記の実施形態の異なるシナリオ（複数のＵＥ、複数のＳＵＤＡＣ及び複数のＢＳの組み合わせ）を例示する略ブロック図を示す。
【図４】図４は、基地局からユーザー機器までの単独のＳＵＤＡＣ及び２つの直接的なリンクのための３×３ＭＩＭＯダウンリンクを例示する。
【図５ａ】図５ａは、基地局によって実行される決定、バックエンド（ダウンリンク及びアップリンク）において時間周波数リソースをスケジューリングする方法を例示する。
【図５ｂ】図５ｂは、（ダウンリンク及びアップリンクに対して有効である）２つのユーザー機器及び２つのＳＵＤＡＣのための基地局と複数のＳＵＤＡＣの間でのリソース割り当てを例示する。
【図６】図６は、直接的なリンクが基地局からユーザー機器まで存在する、多重基地局、多重ＳＵＤＡＣ及び多重ユーザー機器を伴うシステムのためのダウンリンクを例示する。
【図７】図７は、重複する受信カバレッジを有する複数のＳＵＤＡＣ及び／又はＵＥの概観を示す。
【図８ａ】図８ａは、一実施形態に係るＭＵ−ＭＩＭＯシステムの略ブロック図を示す。
【図８ｂ】図８ｂは、８ａの実施形態のために結果として生じるデータ速度で２つのＵＥの相互影響を例示する概略図を示す。
【図９ａ】図９ａは、極高周波を使用する基地局を伴うバックエンド間の通信リンクを構築するために構成される第１及び第２のＢＳ−ＳＵＤＡＣを備えるＳＵＤＡＣシステムの略ブロック図である。
【図９ｂ】図９ｂは、ＳＵＤＡＣから基地局までのバックエンド通信リンクが非アクティブである、２つのユーザー機器及び２つのＳＵＤＡＣを備えるＳＵＤＡＣシステムの略ブロック図である。
【図１０ａ】図１０ａは、スモール・セル・ベース・ステーションを備えるアート中継システムの状態の略ブロック図を示す。
【図１０ｂ】図１０ｂは、直接的なリンクを介して基地局とユーザー機器の間でのデータ速度を向上させるためのアート・アプローチの状態の略ブロック図を示す。
【発明を実施するための形態】
【００２９】
下記では、本発明の実施形態が詳細に議論されるだろう。同一の参照番号が、同一の又は類似する機能を有するものに提供される。これは、その記述が置換可能又は相互に適用可能であるためである。
【００３０】
はじめに、ＳＵＤＡシステム及び同じものの機能性が、ＳＵＤＡシステム及び、特に制御器を制御するために使用される制御メカニズムを記述する前に、議論されるだろう。
【００３１】
図１ａは、基地局システム１００、ＳＵＤＡシステム２００及びユーザー機器２０を備えるシステム４０を示す。
【００３２】
基地局システム１００、例えば単独の電気通信提供者の基地局グループは、複数の基地局１０ａ及び１０ｂを備え得、又は少なくとも２つのアンテナ１２ａ及び１２ｂを備える唯一の基地局１０ａによって代替的に形成され得る。さらに又は好ましくは、２つの機器構成の組み合わせ、すなわち、２つの基地局１０ａ及び１０ｂを備える基地局システム１００、少なくとも２つのアンテナ１２ａ及び１２ｂを備える基地局それぞれが可能であり得ることを留意されたい。少なくとも２つの分離されたアンテナを介してデータを受信し且つ伝送するように構成される基地局システム１００は、向上されたデータ速度を許す、空間的な多重化、空間−時間コーディング、又はビーム形成のような伝送モードを可能にする目的を有する。詳細には、２つのアンテナに起因して、アンテナそれぞれは、超極短波（すなわち、続編においてバンド１として参照される、０．１と６ＧＨｚの間の範囲における周波数）を使用するように構成され、ＳＵＤＡシステム２００に対する（バックエンド・アップリンク信号（及び／）又はバックエンド・ダウンリンク信号を備える）２つのバックエンド通信信号が伝送され得る。
【００３３】
第１及び第２のバックエンド通信信号の極超短波は、典型的には、互いに干渉するので、第１及び第２のバックエンド通信信号は、第１及び第２のキャリアを介して伝送される極超短波の重ね合わせによって表現される。２つのバックエンド通信信号は、並行なデータ・ストリームが両方の極超短波信号が既知である状況のもとで分割可能であり得るように、基地局システム１００によって伝送される。符号化データ信号の独立的に且つ分割的に伝送することのこの技術は、空間的な多重化と称される。
【００３４】
代替的なアプローチによれば、基地局システム１００は、バックエンド通信信号を第１の位置、例えば、ＳＵＤＡＣの位置（参照番号２１０を参照）に、且つ更なるバックエンド通信信号を、例えば２つの分割されたビームを介してＵＥ２０の、第２の位置に伝送するように、２つのビームを生成するためにビーム形成を実行するために、少なくとも３つのアンテナを使用する。ビームそれぞれは、３つのアンテナを介して伝送される少なくとも２つの極超短波信号の重ね合わせによって形成される。説明されたように、ビーム形成はダウンリンク（ＢＳ１００→ＵＥ２０）のために使用され得、さらに、アップリンクのためのビーム形成が可能であり、例えば、アップリンク・バックエンド信号（ＵＥ２０→ＢＳ１００）が複数のＳＵＤＡＣ、例えば、１０のＳＵＤＡＣを介して伝送されるとき、複数のＳＵＤＡＣによって複数の極超短波信号出力の重ね合わせとして１つ以上のビームを形成することが可能である。
【００３５】
代替的なアプローチによれば、ＵＥ２０は、ＵＥの組み込みアンテナ及びＳＵＤＡＣから伝送される２つの極超短波信号の重ね合わせによって形成されるビームを介してＢＳ１００のためにバックエンド通信リンクを構築するように、ビーム形成を実行するために、その組み込みアンテナ、加えて少なくとも１つのＳＵＤＡＣを使用する。
【００３６】
代替的なアプローチによれば、ＵＥ２０は、ＵＥの組み込みアンテナ及びＳＵＤＡＣから伝送される２つの極超短波信号の重ね合わせによって形成される、より高い頑健性及びそれによってＢＳ１００のためにバックエンド・リンクのためのより高い利用可能なデータ速度に到達するように、空間−時間コーディングを実行するために、その組み込みアンテナ、加えて少なくとも１つのＳＵＤＡＣを使用する。
【００３７】
記述されるシステムは、基地局での伝送アンテナの多重度（すなわち、基地局から中継のクラスターへの少なくとも部分的に独立した伝搬経路）が、中継のクラスターからユーザー機器まで（再び独立した伝搬経路）のチャンネル（例えば、周波数サブ・バンド）の多重度と関連付けられ得るという事実を活用する。それ故に、多重信号の同時伝送が許される（すなわち、空間的な多重化の使用）。
【００３８】
データ速度は、空間的な多重化要求を使用することによって、伝送器での２つのアンテナだけでなく、受信器での２つのアンテナを増加させる。アンテナは、好ましくは、互いに空間を空けて配置されるべきである。データ速度は、空間−時間コーディングを使用することによって向上し、又はビーム形成は、（ＭＩＳＯとして既知の）伝送器で２つのアンテナ及び受信器で少なくとも１つのアンテナを要求する。基地局システム１００のためにその相対物（ｃｏｕｎｔｅｒｐａｒｔ）を形成するシステム２００は、例えば空間的な多重化を使用することによって、２つのシステム１００と２００の間で交換され得るために、少なくとも２つのアンテナをさらに備え、交換手段は伝送し且つ／又は受信する（すなわち、伝送モード空間的な多重化、空間−時間コーディング及びビーム形成がダウンリンクのために且つアップリンクのために使用され得る）。
【００３９】
ＳＵＤＡシステム２００として参照される相対物システム２００は、少なくとも２つのＳＵＤＡＣ２１０及び２２０を備え、ＳＵＤＡＣ２１０、２２０それぞれは、周波数並びに多重化変換器２１２及び２２２を備える。周波数並びに多重化変換器２１２及び２２２は、分割アンテナ２１６及び２２６と結合される。ここで、アンテナ２１６及び２２６は、第１及び第２のＳＵＤＡＣ２１０及び２２０へと統合され得、又はアンテナ・インターフェイス２１４及び２２４それぞれを介して周波数並びに多重化変換器２１２及び２２２に接続される外部アンテナであり得る。ＳＵＤＡＣ２１０及び２２０及びそれ故にＳＵＤＡシステム２００は、バックエンド通信リンクを介して受信されるデータ信号をユーザー機器２０に転送する、又はユーザー機器２０から受信されるデータ信号を基地局システム１００にバックエンド通信リンクを介して伝送する目的を有する。ＳＵＤＡシステム２００ＳＵＤＡＣシステム２００を介して受信され又は伝送されるためのデータ信号を交換するために、又は、より詳細には、２つのＳＵＤＡＣ２１０及び２２０は、フロントエンド通信信号を使用する（ユーザー機器から見られるように）いわゆるフロントエンド・リンクを介してユーザー機器２０に接続される。したがって、周波数並びに多重化変換器２１２及び２２０は、フロントエンド通信リンクが構築されることを介して、それぞれ、短距離無線アンテナ２１８及び２２８それぞれに結合される。短距離無線通信アンテナ２１８及び２２８は、極高周波、例えば、１と３３０ＧＨｚの間の又は好ましくは３０と１００ＧＨｚの間の範囲における周波数を使用するように構成される。バックエンド・リンクを合計するために、周波数バンド１、例えばサブ６ＧＨｚバンドを利用し、一方で、フロントエンド・リンクがミリ波であり得るバンド２を採用する。
【００４０】
ユーザー機器２０とＳＵＤＡシステム２２０の間でフロントエンド通信リンクを構築するために、ユーザー機器２０は、そのような極高周波信号を受信且つ伝送するように構成される１つのアンテナ又は１つのアンテナ配列を備える短距離無線通信アンテナ・ユニットを有する。これらのミリ波は、２つのフロントエンド・リンクのためのリソースが、２つのフロントエンド・リンクを介して伝送されるデータ信号が分割可能であるように選択され得ることを可能にする。
【００４１】
変化されるリソースは、これらのフロントエンド・リンクのための周波数（ｆ）、時間（ｔ）、コード（ｃ）及び空間（ｓ）であり、且つ唯一のフロントエンド・リンクの間での干渉を避けるために選択される。リソース変化は、ＵＥ２０ａ及び２０ｂによって並びに構成可能なＳＵＤＡＣ２１０及び２２０によって実行される。例えば、フロントエンド通信リンクのための２つの異なるキャリアが（ＦＤＭ／ＦＤＭＡ多重化／多重アクセスを使用するために）使用され得、又は２つのフロントエンド・リンクを介して第１及び第２のデータ信号を伝送するための２つの異なる時間スロットが（ＴＤＭ／ＴＤＭＡ多重化／多重アクセスを実行するために）使用され得る。代替的に、ＳＵＤＡシステム２００とユーザー機器２０の間の２つのデータ信号は、ＣＤＭ／ＣＤＭＡ多重化／多重アクセスを実行するために使用済みコードに起因して互いに異なり得る。同じものが互いに識別可能であるようにｆ−ｔ−ｃ−ｓリソースを選択する他の代替的な方法は、例えば、フロントエンド通信リンクのためのビーム形成を使用することによって、ＳＤＭ／ＳＤＭＡ多重化／多重アクセスを実行するべきである。例えば、バンド２としても参照されるフロントエンドにおける異なって選択されるｔ−ｃ−ｓリソースに起因して、フロントエンド・リンクは、同じ周波数バンドにおいて伝送され得る。時間リソースを変更するために且つＴＤＭ／ＴＤＭＡ多重化を実行するために、ＳＵＤＡＣ２１０及び２２０は、第１の時間スロット（例えば、０乃至１００μｓ）において受信される信号を記憶するために、且つ第２の時間スロット（１００乃至２００μｓ）において遅延される信号を出力するために、メモリを備え得る。任意で、時分割２重（ＴＤＤ）又は周波数分割２重（ＦＤＤ）が使用され得る。ＵＥＡに対するＳＵＤＡＣの割り当てが（ＳＵＤＡＣが複数のＵＥに割り当てられ得、すなわち、それが複数の信号を中継することを観測し、）（例えば、ＴＶ放送が１つのダウンリンクのみ必要とする）チャンネル品質及びサービス要求に従って、ダウンリンクのみのため、アップリンクのみのため、又は両方のためであり得る。ＴＤＤのために割り当てが両方のためになされることが、ＦＤＤのために留意されたい。
【００４２】
ユーザー機器２０とＳＵＤＡＣ２１０及び２２０との間のリンクは、ＳＵＤＡＣ２１０及び２２０それぞれが分散アンテナ配列として使用されるようにユーザー機器２０に結合される情報であるような方法で、他の言葉を用いて記述され得る。これは、ユーザー機器が基地局システム１００によって送信される２つのアンテナ２１６及び２２６から２つのデータ・ストリームを受信することを可能にする。これは、２つのアンテナ２１６及び２２６が、基地局システム１００（ダウンリンク）からビーム形成を使用することによって伝送される空間的な多重化データ信号又は２つのデータ信号を受信すること、又はその逆に基地局システム１００（アップリンク）にビーム形成を使用することによって２つの空間的な多重化データ信号又は２つのデータ信号を伝送することを可能にする、分散アンテナを有する仮想的なアンテナ配列（ＶＡＡ）を形成するためである。着信信号（ダウンリンク）の場合において、基地局システム１００からの２つのデータ信号は、統合される第１及び第２のデータ信号の結果として生じる高いデータ速度が達成されるために、ユーザー機器２０の中で結び付けられる。発信信号（アップリンク）の場合において、２つのアンテナ２１６及び２２６を介して伝送される２つのデータ信号は、ビーム形成又は空間的な多重化が（バンド１としてもまた参照される）極超短波を有するバックエンド・バンドにおいて可能とされるように、伝送される。その結果として、それは、ユーザー機器２０が、ＳＵＤＡシステムを介して基地局１０ａ及び１０ｂによって、すなわち、少なくとも１つの第１のＳＵＤＡＣリンク及び１つの第２のリンクを使用して、表現されるセルラー・ネットワークにアクセスすることを意味し、それは、ユーザー機器と基地局の間での他のＳＵＤＡＣリンク又は直接的なリンク、並びに第１及び第２のセルラー・ネットワーク・リンク（バックエンド）であり得る。
【００４３】
このシステム概観を発端として、２つのＳＵＤＡＣ２１０及び２２０又はより詳細には２つの周波数並びに多重化変換器２１２及び２２２が２つの基本的な機能を有することは明らかである。第１の機能は、バンド１のために使用されるキャリアがバンド２のために使用されるキャリアにダウンして変換され、又はその逆にされる（バンド２をバンド１にアップして変換する）ように、周波数変換を実行するべきである。次の機能は、フロントエンド・リソース及びＳＵＤＡＣ機能性が、これらのサービス要求（例えば、データ速度）が可能な限り満足されるように、接続されるユーザー機器に割り当てられることである。第３の機能は、複数のフロントエンド・リンクの間での干渉が避けられるように、フロントエンド・リンクを介して交換されるデータ信号が多重化されることである。したがって、周波数及び多重化変換器それぞれは、上述されたようにそれに応じて、フロントエンド・リンクのために周波数−時間−コード−空間リソースを選択するように構成される。周波数並びに多重化変換器２１２及び２２２によって増幅され且つ転送されるデータ信号が、信号がアナログ領域において維持されるか又はサンプリングされるかのどちらかのところで復号しないで転送され、デジタルに処理され（例えば、バンドフィルタ処理され）且つアナログ領域に変換され得ることが留意されるべきである。第２の実施形態において、信号は、ダウンリンクにおいて圧縮され且つ転送され、すなわち、（好ましくは符号化することを含んで）第２の空気インターフェイスを使用して、サンプリングされ且つデジタルに処理され（例えば、圧縮され）且つ変調される。アップリンクにおいて、信号が復号され且つ転送され、すなわち、第２の空気インターフェイスが復調され、如何なる圧縮も元に戻され、且つペイロードが（事前の符号化なしに）アナログ領域に変換される。
【００４４】
ＳＵＤＡシステム２００が分割ハウジングに格納される少なくとも２つの周波数並びに多重化変換器２１２及び２２２を備えるシステムのコンテキストにおいて記述されたが、共通のハウジングを有し且つ好ましくは互いに空間を空けて配置されるべき２つのアンテナ２１６及び２２６に結合される、２つの周波数並びに多重化変換器２１２及び２２２が、１つの（「ミニ」）ＳＵＤＡシステムを形成し得ることが留意されるべきである。ここで、制御器は、ハウジング又は少なくともミニＳＵＤＡＣに（例えば、制御チャンネルを介して）結合される情報に実装され得る。この場合において、２つの短距離無線アンテナ２１８及び２２８は、共通の短距離無線アンテナ又はアンテナ配列によって形成され得る。なぜならば、ｆ−ｔ−ｃ−ｓリソースの適切な選択に起因して、２つのフロントエンド・リンクが、たった１つの短距離無線アンテナ２１８／２２８を使用することによって、並行して構築され得るためである。
【００４５】
時間−周波数−コード−空間リソースは、ユーザー機器２０、ＳＵＤＡシステム２００及び／又は基地局システム１００において実装され得る、制御器（図１ｂを参照）を使用することによって選択される。制御器は、少なくとも２つのフロントエンド・リンクがｆ−ｔ−ｃ−ｓリソース（上記を参照）に起因して構築され且つ識別可能であるために、唯一のＳＵＤＡＣ２１０及び２２０を制御するように構成される。さらにその上、制御器は、バンド１のためにｆ−ｔ−ｃ−ｓリソースを変化させるように構成され得る。バンド１のｆ−ｔリソースは、例えば、第１のバックエンド・リンクが８００ＭＨｚキャリアを使用するように、選択され得、第２のバックエンド通信リンクは、８５０ＭＨｚキャリアを使用する。バンド１及びバンド２のこれらのリソースは、環境（利用可能な基地局、利用可能な複数のＳＵＤＡＣ、ユーザー機器の数、潜在的なｆ−ｔ−ｃ−ｓリソース（例えば、キャリア周波数）でのＳＵＤＡＣとユーザー機器の間でのリンクの品質及び／又はユーザー機器それぞれのために要求されるデータ速度）を考慮して適合される。さらに、制御器５０は、該当するＳＵＤＡＣ２１０及び２２０、ユーザー機器２０及び基地局１００の能力、例えば、幾つのキャリアが、これらが伝送し且つ受信することができるか、何キャリア周波数がバンド１及び２においてサポートされるか、２つのキャリアの最小又は最大周波数分離がいくらか、最大伝送電力がいくらか、どれだけ速くＳＵＤＡＣがキャリア周波数に切り替わることが可能かなどを考慮し得る。環境を分析するために、制御器は、チャンネル状態情報（ＣＳＩ）のチャンネル測定又は評価に基づき、且つ／又はトレーニング系列の間になされる測定に基づき、環境を分析するように構成される分析器を任意で備え得る。この制御手段は、アルゴリズムに、又は概してｆ−ｔ−ｃ−ｓリソースを調整するステップを備える方法に実装され得る。
【００４６】
上記で議論された概念を発端として、概念の主たる変更が、リソース、又はより詳細には、フロントエンド伝送リソース及びユーザー機器２０に対する複数のＳＵＤＡＣのＨＷリソースを割り当てるべきであることは、明らかになる。更なる挑戦は、複数のフロントエンド信号及び対応する複数のバックエンド信号が互いに妨げあわないように、ｆ−ｔ−ｃ−ｓリソースを構造化するべきである。これは、複数のユーザー機器２０が基地局システム１００のために通信ごとにＳＵＤＡシステムを使用しようとする場合において一層困難になる。例えば、リソースの構造化は、基地局によって又は少なくとも基地局を使用することによって構造化され得る。
【００４７】
しかしながら、例えば複数の異なる電気通信提供者の、複数の基地局グループが、異なる基地局グループに割り当てられ得る複数のユーザー機器に通信リンクを構築するために１つのＳＵＤＡシステム２００を使用したい場合において、改善されたアプローチが必要である。この改善されたアプローチは、下記で図１ｂに関して議論されるだろう。ここで、第２のフロントエンド通信信号を介して構築される第２のフロントエンド・リンクは、第２のフロントエンド通信信号を使用する第２のフロントエンド・リンクとして参照され、一方で、第１のフロントエンド通信信号を介して構築される第１のフロントエンド・リンクは、一層明らかにこれらのリンクを識別するために、第１のフロントエンド通信信号を使用する第１のフロントエンド・リンクとして参照される。
【００４８】
図１ｂは、第１の基地局システム・グループ１００ａ及び第２の基地局システム・グループ１００ｂ、２つのユーザー機器２０ａ及び２０ｂ、並びに基地局システム・グループ１００ａ／１００ｂそれぞれをユーザー機器２０ａ／２０ｂに接続するＳＵＤＡシステム２００を示す。参照番号の文字ａによって指示されるように、ユーザー機器２０ａは、基地局システム・グループ１００ａに属し又は割り当てられる。ユーザー機器２０ｂは、基地局システム・グループ２０ｂに属し又は割り当てられる。
【００４９】
その結果として、ここでは２つのＳＵＤＡＣ２１０及び２２０の組み合わせとして実装されるＳＵＤＡシステム２００は、第１のユーザー機器２０ａからバックエンド信号を介して第１の基地局グループ１００ａにフロントエンド信号を転送し、且つ第１の基地局グループ１００からフロントエンド信号を介して第１のユーザー機器２０ａにバックエンド信号を転送し、並びに第２のユーザー機器２０ｂからバックエンド信号を介して第２の基地局グループ１００ｂにフロントエンド信号を転送し、且つ第２の基地局グループ１００ｂからフロントエンド信号を介して第２のユーザー機器２０ｂにバックエンド信号を転送する目的を有する。詳細には、第１のユーザー機器２０ａは、第１の基地局グループ１００ａと通信するために、第１のフロントエンド信号２１ａ＿１を第１のバックエンド信号１０１ａ＿１に変換する、第１のＳＵＤＡＣ２１０のための第１のフロントエンド信号２１ａ＿１と、第２のフロントエンド信号２１ａ＿２を第２のバックエンド信号１０１ａ＿２に変換する（又はその逆も然り）、第２のＳＵＤＡＣ３２０のための第２のバックエンド信号２１ａ＿２とを使用する。第１及び第２のバックエンド信号１０１ａ＿１及び１０１ａ＿２は、必ずしも同じソース又は目的地を有しないこと、すなわち、基地局システム・グループ１００ａが図１ａに関して説明されるようにＳＵＤＡシステム２００との接続にある複数の基地局を備え得ることを留意されたい。第２のユーザー機器２０ｂは、第２の基地局グループ１００ｂとの通信のために、第１のＳＵＤＡＣ２１０を介して、第１のＳＵＤＡＣ２１０及び第１のバックエンド・リンク１０１ｂ＿１への少なくとも第１のフロントエンド・リンク２１ｂ＿１を使用する。追加的に、第２のユーザー機器２０ｂは、上記で議論されたように、増加されたバンド幅を可能にするために第２のフロントエンド・リンク２１ｂ＿２及び第２のバックエンド・リンク１０１ｂ＿２を使用し得る。
【００５０】
複数のフロントエンド・リンク２１ａ＿１、２１ａ＿２、２１ｂ＿１及び２１ｂ＿２の、及び複数のバックエンド・リンク１０１ａ＿１、１０１ａ＿２、１０１ｂ＿１及び１０１ｂ＿２の、複雑さに起因して見られ得るように、複数のリンクのために図１ａに関して議論されたような、時間、周波数、コード及び／又は空間に関してリソースそれぞれを制御するための方法が、構造化されるべきである。
【００５１】
したがって、図１ｂによって例示されるシステムは、フロントエンド・リンク２１ａ＿１、２１ａ＿２、２１ｂ＿１及び２１ｂ＿２のためのリソースの制御、並びにバックエンド・リンク１０１ａ＿１、１０１ａ＿２、１０１ｂ＿１及び１０１ｂ＿２のリソースの制御を実行するように構成される制御器５０を備える。詳細には、制御器５０は、フロントエンドにおける全てのリソース、並びに潜在的には、ＳＵＤＡＣ２００を使用する全てのエンティティのための、すなわち第１の基地局グループ１００ａに属するエンティティのための及び第２の基地局グループ１００ｂに属するエンティティのための、バックエンドにおけるリソースを制御することを可能にする。
制御器５０は、異なる基地局システム・グループ１００ａ及び１００ｂに属する、唯一のフロントエンド・リンク２１ａ＿１、２１ａ＿２、２１ｂ＿１及び２１ｂ＿２と、バックエンド・リンク１０１ａ＿１、１０１ａ＿２、１０１ｂ＿１及び１０１ｂ＿２それぞれとが互いに妨げあわないように、又はより詳細には、２つのバックエンド・リンク１０１ａ＿１、１０１ａ＿２若しくは２つのバックエンド・リンク１０１ｂ＿１及び１０１ｂ＿２がＭＩＭＯを実行するために重複するリソースを使用するように、ユーザー機器、例えば２０ａのためにＳＵＤＡＣ２１０又は２２０それぞれを選択することによって、時間、周波数及びコードに関して並びに空間に関してリソースを制御するように構成される。したがって、制御器５０は、ユーザー機器２０ａ及び２０ｂでリソースを選択するためにユーザー機器２０ａ及び２０ｂにアクセスし、バックエンド・リンク１０１ａ＿１、１０１ａ＿２、１０１ｂ＿１及び１０１ｂ＿２それぞれがフロントエンド・リンク２１ａ＿１、２１ａ＿２、２１ｂ＿１及び２１ｂ＿２それぞれに（又はその逆も然り）変換されることに従ってパラメータを定義するためにＳＵＤＡシステム２００のエンティティ２１０及び２２０にアクセスすることを可能にするべきである。言い換えると、それは、ＳＵＤＡＣ２１０又は２２０それぞれが、例えば、異なる時間スロットが異なるフロントエンド・チャンネルに割り当てられる場合又は制御器５０によって定義されるリソース割り当ての他のタイプによって、複数のＵＥ２０ａ及び２０ｂに役立つように構成され得ることを意味する。
【００５２】
制御器５０は、唯一のエンティティ２０ａ、２０ｂ、２１０及び２２０にアクセスするためにＳＵＤＡシステム２００を使用することによって構築されるいわゆる制御チャンネルを使用し得る。この制御チャンネルは、エンティティそれぞれがユーザー機器２０ａの割り当てから１００ｂと組み合わせて基地局グループ１００ａ又は２０ｂまで独立してこの制御チャンネルにアクセスすることを可能にするように、所定の周波数を有する且つ／又は特定の時間スロットを使用する且つ／又は専用の（拡散）コードを使用するチャンネルとして実装され得る。任意で、制御器は、基地局グループ１００ａ及び１００ｂにもまたアクセスし得る。そのようなユース・ケースのために、基地局システム１００、ＳＵＤＡシステム２００及び複数のユーザー機器２０によって形成されるネットワークにおいてどこかで中央制御器として制御器５０を実装することが一層有益であり得る。これは、制御チャンネルが、制御器５０が、エンティティにおいて例えばユーザー機器２０ａにおいて実装され得、且つ全ての他のユーザー機器２０ｂのためのリソース並びにＳＵＤＡシステム２００のリソースを制御し得ることを可能にするためである。
【００５３】
好ましい一実施形態によれば、制御器５０は、共有の制御器として実装され得、すなわち、複数のユーザー機器２０ａ及び２０ｂの中での制御チャンネルを介して実行されるプロトコル又はアルゴリズムとして実装されるようなそのような共有の制御器の実装であり得る。
【００５４】
更なる実施形態によれば、制御器５０は、単独のユーザー機器２０ａ及び２０ｂ、並びに環境、例えば、利用可能な信号強度及びノイズ又はユーザー機器２０ａ及び２０ｂの干渉レベルの要求を分析するように構成される。この分析に基づき制御器が、例えば、唯一のフロントエンド及びバックエンド・リンク、例えば、第２のフロントエンド・リンク２１ｂ＿２及び第２のバックエンド・リンク１０１ｂ＿２が可能にされ且つ機能しない方法で、分散リソースを変更する。
【００５５】
本発明の態様が装置のコンテキストにおいて記述されたが、本発明は、制御を実行する対応する方法にもまた言及することは明らかである。方法ステップ又は少なくとも幾つかの方法ステップは、制御アルゴリズムを実行するＣＰＵによって実装され得る。制御方法の第１の実装は、第１及び／又は第２のユーザー機器（２０、２０ａ、２０ｂ）の及び／又は第１及び／又は第２の基地局ネットワーク・グループ（１００ａ、１００ｂ）の、データ速度要求及び／又データ速度能力を考慮して、且つ／又は第１のバックエンド通信信号１０１ａ＿１及び１０１ｂ＿１それぞれに変換される第１のフロントエンド通信信号２１ａ＿１及び２１ｂ＿１、並びに第１のバックエンド通信信号１０１ａ＿２及び１０１ｂ＿２それぞれに変換される第２のフロントエンド通信信号２１ａ＿２及び２１ｂ＿２が互いに識別可能であるように、且つ／又は第１のフロントエンド通信信号２１ａ＿１及び２１ｂ＿１並びに第２のフロントエンド通信信号２１ａ＿２及び２１ｂ＿２の中での干渉によって引き起こされる伝送損失が減じられるように、第１のリソース及び第２のリソースを選択するステップを備える。それ故に、制御器は、制御チャンネルで利用可能な情報に基づく干渉物を検出するように構成され得る。
【００５６】
更なる実施形態によると、ＳＵＤＡシステム２００は、例えば、追加のＳＵＤＡＣのリンク品質がＳＵＤＡＣ２１０及び２２０のリンク品質と比較したときより高い場合、唯一のユーザー機器２０ａ又は２０ｂによって使用され得る（示されない）追加のＳＵＤＡＣを備え得る。それ故に、制御器５０は、ユーザー機器２０ａ及び２０ｂそれぞれが良好な利用可能なリンク品質を有するように、関連リソースを分散するように構成され得る。任意で、制御器５０は、リンク品質を改善するためにフロントエンド・リンクに対してＵＥ又はＳＵＤＡＣの伝送電力を制御するように構成され得る。概して、それは、制御器５０がフロントエンド・リンクの品質及びバックエンド・リンク品質を考慮するように追加的に構成され得ることを意味する。例えば、フロントエンド・リンク品質が良好であり且つバックエンド・リンク品質が不良である場合、そのとき、全体的なリンク品質が不良であり且つ中継が基地局とＵＥの間の通信のために使用されないべきであり、すなわち、フロントエンド・リンク割り当てがフロントエンド及びバックエンド・リンク品質の共同考慮に基づく。リンク品質を変化させる理由は、ユーザー機器２０ａ及び２０ｂの動きであり得る。そのような典型的な状況が図１ｃによって示される。システムの装置（ＵＥ、ＳＵＤＡＣ及び／又はＢＳ）によって提供される関連情報にアクセスする制御器は、装置がそれ自身を参照するリンクに基づくだけでなく、更なるリンクにもまた基づき、能動的にリソース割り当てを実行することを可能にする（例えば、ＵＥは、ＳＵＤＡＣが更なる複数のＵＥを参照すること、及びこれらの更なる複数のＵＥが更なる複数のＳＵＤＡＣを参照することを考慮する）。
【００５７】
一実施形態によると、制御器５０は、それが様々なｓ６Ｇ（ダウンリンク及びアップリンク）より早い接続から得られるバックエンド・チャンネルでチャンネル品質測定基準（ｃｈａｎｎｅｌ  ｑｕａｌｉｔｙ  ｍｅｔｒｉｃｓ）を記憶するテーブルを維持する。これらの値は、これらの接続の間で関連付けられる複数のＵＥによってＳＵＤＡＣに与えられた。さらに、テーブルは、品質が測定されたときについてのタイム・スタンプを含む。ここで、品質測定基準は、完全なチャンネル（すなわち、バックエンド＋フロントエンド）のための品質及び（ＵＥと複数のＳＵＤＡＣの間の試験的なチャンネルを使用する）フロントエンド・チャンネルの品質を測定し、且つ両方からバックエンド・チャンネルの品質を計算することによって、ＵＥによって（ダウンリンク又はアップリンク）バックエンド・チャンネルのために算出される。測定基準がバックエンド・チャンネル（ＢＳ−ＳＵＤＡＣ）のみに関与し、且つ両方が固定位置であり、且つサブ６Ｇ周波数での伝搬状態が動き回られる人又は器具に非常に敏感ではないので、これらの測定基準がより長い時間スパンを超えて相当に一定であることを維持することが予想され得る。
【００５８】
一実施形態によると、制御器は、例えば、複数のＳＵＤＡＣがバックエンド周波数チャンネルのサポートを制限されたとき、複数のＳＵＤＡごと採用するＵＥごとの潜在的なバックエンド・チャンネルが使用され得ることについて、基地局に知らせる。この情報に基づき、基地局は、ＵＥのためにバックエンド・リソース割り当てを実行し得る。
【００５９】
図１ｃは、５つのＳＵＤＡＣ、２つの基地局グループ１００ａ及び１００ｂ、並びに３つのユーザー機器２０ａ、２０ｂ及び２０ｃを備えるＳＵＤＡシステム２００を示し、ユーザー機器２０ａ、２０ｂ及び２０ｃそれぞれは、複数の壁９８の存在に起因してＳＵＤＡＣそれぞれにアクセスすることを可能にされない。
【００６０】
下記の説明のために、周波数分割２重（ＦＤＤ）が使用されること、及びフロントエンドがＵＥ及びＳＵＤＡＣ（例えば、２つの異なる周波数サブ・バンド又は２つの異なる時間スライス）ごとに最大でも２ＳＲＤリンクに対して十分なリソースを有することが推測される。そこではリンクそれぞれは、ダウンリンク又はアップリンク信号のどちらかを輸送するための容量を有する。システムは、ダウン及びアップリンクにおいてＵＥそれぞれのために２×２ＶＭＩＭＯシステムを実装し、そこでは基地局とＵＥの間での１つの直接的なリンクが存在し、且つそこでは複数のＵＥがバンド１のために単独のアンテナを所有するのみである。それ故に、ＵＥそれぞれは、１つのＳＵＤＡＣを超える１つの追加的なダウンリンク及び１つのＳＵＤＡＣを超える１つの追加的なアップリンクを構築するべきである。ＵＥそれぞれは２つのＳＵＤＡＣを参照し、真ん中の１つは両方のＵＥによって参照され、（壁９８による見通し伝搬の妨害物のせいで）他の２つのＳＵＤＡＣは１つのＵＥによってのみ参照される。ここで、全てのフロントエンド・リンクがほぼ同じ品質を有し、一方で、ＳＵＤＡＣ２と基地局の間でのバックエンド・リンクがＳＵＤＡＣ１及び３と基地局の間でのリンクに対してよりも十分に良好であることが推測される。ＵＥ１が開始時に存在しさえすれば、それが完全にＳＵＤＡＣ２を占有し得、それは良好なバックエンド・リンク品質を提案する。ＵＥがそれ故にシステムに結び付くとき、且つ例えば、前述した簡易な個々のリソース割り当てが使用されるとき、両方のそのＵＥ２がダウン及びアップリンクのためにＳＵＤＡＣ３のみ使用し、且つしたがって、劣ったバックエンド・リンク品質を受け入れるべきである。他方で、ＳＵＤＡＣ１は、完全に未使用を維持する。それ故にＵＥ１とＵＥ２の間の全体的なリンク品質（フロントエンド及びバックエンド）で強力な不安定がある。
【００６１】
図１ｃに起因して見られ得るように、ＳＵＤＡシステム２００を使用する全てのエンティティを制御する制御器は、一層相当なリソース割り当てが代わりに選択し得ることを可能にする。しかしながら、そのようなリソース割り当てに対して、ＵＥ１がこのＳＵＤＡＣを使用せず且つそれを参照しさえしないけれども、ＵＥ１はＳＵＤＡＣ３と基地局の間のバックエンド・リンク品質を考慮すべきである。例えば、マルチ・ユーザーＭＩＭＯが使用され、且つチャンネル測定基準が可能な限り無相関であるべきとき、図１ｃにおいて示されるような接続形態が時々有益であり得ることを観測されたい。これは、当然、フロントエンド及びバックエンド・リンクの結び付き考慮をも考慮される。ここで、リソース割り当ては、装置の概観及び投下、要求されるリンク属性（バンド幅、キャリア又はリソース・ブロックなどの数）における変化、及び伝播状態を変更すること（例えば、部屋の間を動く誰か）を考慮する動的且つ柔軟な方法でなされる。
【００６２】
専用の再構成可能なＳＵＤＡＣ装置を有するシステムの構成可能性は、（例えば、大きなオープンプラン式のオフィスにおける）複数のＵＥ、複数のＳＵＤＡＣ及びシステムに含まれる基地局の数を伴う完全な柔軟性を許す。複数のＵＥ及び多重ネットワーク業者の基地局は、システムの一部であり得、好ましくは、（ＴＶ信号のような）非セルラー通信信号でさえ複数のＳＵＤＡＣによって中継され得る（そして、１つのＵＥがこの場合において１つのＴＶであるだろう）。個々の基地局それぞれが多重キャリア（キャリア統合）を使用し得ることを観測されたい。
【００６３】
下記で、利用可能なＳＵＤＡＣネットワークに入るための考えられる方法が、図１ｃを参照して議論されるだろう。ＵＥＡ２０ａが新しい複数のＳＵＤＡＣを（例えば、作動を開始して、又は好ましくは複数のＳＵＤＡＣを含む１つの部屋から他の複数のＳＵＤＡＣを伴う他の部屋に動いて）使用したく、且つ周囲の複数のＳＵＤＡＣに対してスキャン及び接続を開始する場合、これらの複数のＳＵＤＡＣは、次の２つのグループに分かれる。（ＳＵＤＡＣそれぞれが１つのダウンリンク及び１つのアップリンク中継経路を提供し得ることを推測する）フリー及びビジーな複数のＳＵＤＡＣ、又はむしろ、ＳＵＤＡＣがダウンリンク又はアップリンクのためにのみ使用される場合、フリー及びビジーなＳＵＤＡＣ中継経路（ダウンリンク及びアップリンク）。ＵＥＡは、フリー及びビジーなＳＵＤＡＣの両方を接続し、且つ時間スタンプ及び現在の時間に基づき、時間スタンプと共にこれらの内在するテーブルからバックエンド品質測定基準を要求する。ＵＥＡ２０ａは、如何なる品質測定基準が最新か又は旧式かのどちらかを決定し得る。その始めの場合において、ＵＥは、それが今や現在のチャンネル品質測定基準を得るために連絡したい、最も有望な複数のＳＵＤＡＣのオーダーをセット・アップし得る。
【００６４】
次のステップにおいて、ＵＥＡは、フリーな複数のＳＵＤＡＣに連絡し、且つそれが通信したい、ダウン及びアップリンク・バックエンド・チャンネル、すなわち、ｓ６Ｇ周波数に伝える。フリーなＳＵＤＡＣ２１０−２５０及びＵＥＡ２０ａそれぞれは、これらのフロントエンド・チャンネル品質測定基準を測定するために、良好なＳＮＩＲ（良好な伝搬状態及び小さい干渉）を伴う利用可能なフロントエンド・チャンネルに対してスキャンし、複数のＳＵＤＡＣは、これらのチャンネル（少なくとも試験的なチャンネル及び制御データ）に亘ってＵＥと通信し、複数のＳＵＤＡＣ２１０−２５０は、特定される候補フロントエンド・チャンネル及びそれらの品質測定基準をＵＥＡ２０ａに通信する。
【００６５】
好ましくは、しかし必ずしも必要ではないが、複数のＳＵＤＡＣは、望まれるバックエンド・チャンネルにおいて電力のみを最初に測定し、且つバックエンド・リンクの最初の無線リソース管理（ＲＲＭ）に対する品質測定基準とし手それを使用する。そのバックグラウンドは、複数のＳＵＤＡＣが安価であるべきであり、それ故に、（ＭＩＭＯ伝送アンテナそれぞれのための試験（ｐｉｌｏｔｓ）の直交するセットを使用する）個々のバックエンド・リンクに対するチャンネル見積もりは、ＳＵＤＡＣにおいて複雑すぎることにコストが掛かり得、（ＢＳがＵＥＡのためにプリコーディングするＭＩＭＯを使用して実際に開始する前に）ＢＳから受信される合計電力が、このＢＳから／に信号を中継するためにＳＵＤＡＣの適正に対する良好な測定である（それはＳＵＤＡＣがシャドーイングされるかどうかを良く反映する）空間的な多重化（すなわち、ビーム形成でない）が予想され得る。ＴＤＤの場合において、アップリンク・バックエンド・チャンネル品質測定予測は、（上記で参照する）非モバイル・バックエンド・リンクでのチャンネル相互性及び小さな時関差異のおかげで、ほぼ同じである。単独の簡易なパラメータのみが従来のアルゴリズムにおいてのようなＭＩＭＯチャンネルのＨマトリックスの完全な列の代わりにバックエンド・チャンネルそれぞれのために測定されることを必要とすることは有益である。
【００６６】
下記で、例えば、複数のＳＵＤＡＣ上記のチャンネル品質測定基準を伴うＦＤＤを使用する、アップリンクのための考えられる制御概念が議論されるだろう。議論は、制御器がＵＥＡに統合される推測に関してなされる。ここで、ＵＥＡはＢＳに対するトライアル接続のためにＳＵＤＡＣを使用し、ＢＳは、アンプリンクに関する（フロントエンド及び／又はバックエンド）チャンネル品質を測定し（ここで、チャンネル品質測定基準は、例えば、ＭＩＭＯチャンネルのＨマトリックスの完全な列であり得る）、且つそれをＵＥＡにフィード・バックする。さらに、ＵＥＡは、このトライアル接続のダウンリンクから、一層信頼性のある且つ詳細な（フロントエンド及び／又はバックエンド）チャンネル品質測定基準（例えば、Ｈマトリックスの列）を取得し得る。（例えば、既にＵＥＢ２０ｂに接続された）ビジーな複数のＳＵＤＡＣの場合において、ＵＥＡは、ビジーな複数のＳＵＤＡＣに連絡し、且つそれが通信したい、バックエンド（すなわち、サブ６Ｇ）ダウン及びアップリンク・チャンネルに伝える。ＳＵＤＡＣは、（複数の）チャンネルそれが（ダウンリンク及びアップリンクを）現在中継しているＵＥＡに知らせる。ダウンリンク及びアップリンクに対して、それは、それがＵＥＡによって望まれる（複数の）チャンネルである場合、それ故にＳＵＤＡＣが現在このＳＵＤＡＣを使用するＵＥＢ２０ｂによって測定された対応するダウン及びアップリンク（複数の）チャンネルのバックエンド・チャンネル品質測定基準をてんそうすることを意味する。ＵＥＡ２０ａは、ＢＳ１００ａ／１００ｂが異なる（時間−周波数コード）リソース・ブロックを２つのＵＥに割り当て得る（ＭＵ−ＭＩＭＯがＢＳによって使用されるとき、異なる空間的なリソース・ブロックでさえ考えられる）ように、ＵＥＢとのダウンリンク及びアップリンク中継を共有し得る。
【００６７】
一実施形態によると、ＵＥＡは、試験的なチャンネルからフロントエンド・チャンネル品質を測定し、且つＳＵＤＡＣを用いて交換されるデータを制御し得る。さもなければ、すなわち、現在中継されるチャンネルが望まれるものと異なる場合、ＳＵＤＡＣは、好ましくは、それが働くためにこれに対してＵＥＢへの／からの接続に無駄であるとき、時間スロットの間で、望まれるダウンリンク又はＴＤＤチャンネルの品質測定基準を測定し得る。ＵＥＢは、そのような無駄な時間が生じるとき、ＳＵＤＡＣに知らせるべきである。これらの無駄な時間は、現在使用される１つと異なるＵＥＡのための他のフロントエンド・チャンネルの品質測定基準を測定するためにさらに使用され得る。同じものが次の２つのオプションに対して適用される。さもなければ、可能な場合、ＳＵＤＡＣが、短時間の間に無駄になり且つ（ダウン及びアップリンクのために）ＵＥＡに対する望ましいバックエンド・チャンネルのために品質測定をなし得るように、ＵＥＢに対する接続は、短時間ごとに再構成される（これは、ＵＥＡの及びＵＥＢのＢＳとの制御データの交換を含む（それは潜在的には異なるモバイル・ネットワークにおける２つの基地局である））。代替的に、ＵＥＡ及びＢの（ダウンリンクにおいて）望まれるデータ速度及び現在利用可能なデータ速度は、幾つかの方針（例えば、ＵＥＡが幾らかＵＥＢよりも優先されるかどうか、又は望まれるデータ速度最大ｘＭｂｉｔ／ｓが上記した望まれるデータ速度よりも優先されるかどうか）に従って考慮され、且つそれは、考慮されるＳＵＤＡＣがＵＥＢを用いて維持するか、又はＵＥＡに（少なくとも一時的に）与えられるかのどちらかを決定する。この決定のために必要な情報は、ＵＥＡにおいて又はＵＥＢにおいてのどちらかで集められる。すなわち、１つのＵＥは、ＳＵＤＡＣを経由して中継される制御情報を通して、他のＵＥのために全ての必要な情報を提供する。ＳＵＤＡＣ及び他のＵＥは、決定について後ほど知らされる。他のＵＥは、それ自身の利益がこの決定において既に考慮されたので、この決定を受け入れる。
【００６８】
得られる測定基準の限り（すなわち、より早い接続からＳＵＤＡＣに内在するテーブルからのそれら、バックエンド及びフロントエンド・チャンネルに対して、フリーな複数のＳＵＤＡＣ及びビジーな複数のＳＵＤＡＣからのそれら）に基づき、選択は、ビジーな複数のＳＵＤＡＣの１つを現在使用するＵＥＡ及び全ての他のＵＥの集合のためにＵＥＡによってなされる。ＵＥＡによって連絡される（フリー及びビジーな）複数のＳＵＤＡＣ（及びそのダウンリンク／アップリンク中継経路）のそれが（複数の）ＵＥ２０ａ−２０ｃに割り当てられ、且つそれに応じて、望まれるバックエンド・チャンネルが中継されるべきであり、ＵＥＡに割り当てられるＳＵＤＡＣごとのフロントエンド・チャンネルが使用するべきであり、且つその電力で複数のＳＵＤＡＣ及び複数のＵＥがフロントエンドにおいて伝送されるべきである。いつでも、アルゴリズムは多重装置に亘って分散されず、且つＵＥＡはそれ自身で電力選択をし得ない。ＵＥＡ（ダウンリンク及びアップリンク）によって見られるバックエンド及びフロントエンド・チャンネルの品質評価基準に加えて、この選択は、他の複数のＵＥの現在使用されるバックエンド及びフロントエンド・チャンネルの品質測定基準、及びこれらの複数のＵＥを取り囲むフリーな複数のＳＵＤＡＣのためのそれら（すなわち、ＵＥＡは、ＢＳに向かうそれ自身のチャンネルのチャンネル品質並びに複数のＢＳに向かう他の複数のＵＥのそれらを知り）、（ＵＥＡを含む）該当する複数のＵＥ及び幾つかの方針（例えば、ＵＥｘが幾らかＵＥｙよりもされるかどうか、又は望まれるデータ速度最大ｘＭｂｉｔ／ｓが上記した望まれるデータ速度よりも優先されるかどうか）の望まれるデータ速度及び現在利用可能なデータ速度に基づく。この決定のために必要な情報は、ＵＥＡにおいて集められる。すなわち、複数のＳＵＤＡＣ及び他の複数のＵＥは、複数のＳＵＤＡＣを経由して中継される制御情報を通してＵＥＡに全ての必要な情報を提供する。
【００６９】
ＵＥＡは、複数のＳＵＤＡＣを経由して周囲の複数のＳＵＤＡＣ及び他の複数のＵＥに戻る決定／選択を通信し、他の複数のＵＥは、それら自身の利益がこの決定においてＵＥＡによって既に考慮されたので、この決定を受け入れる。さらに、複数のＵＥは、これらの複数のＳＵＤＡＣにこれらのバックエンド・チャンネルのダウンリンク及びアップリンク品質評価基準についての情報を常に知らせ、複数のＳＵＤＡＣは、上述された内在するテーブルにおいてこれらの値を記憶する。さらに、複数のＵＥは、これらの（Ｖ）ＭＩＭＯチャンネル属性が変更されるだろうとき（すなわち、現在の機器構成が変更されるとき、それは、ＵＥのための複数のＳＵＤＡＣの追加／除去、フロントエンド（又はバックエンド）リンク周波数を変更することなどであり）、アプローチするイベントについての情報をこれらの周囲の複数のＢＳに知らせる。この非集中型の体系は、複数のＢＳと複数のＵＥの間での通信のためだけでなく、ＴＶ放送のような他のサブ６Ｇ通信のためにもまた働く。
【００７０】
（ＵＥＡが複数のＳＵＤＡＣシステム２００に入るとき）そのような最初のＲＲＭの後で、ＵＥそれぞれは、（例えば、１００ｍｓごとに）割り当てられたリソースの更新を常に開始する。すなわち、ＵＥそれぞれは、上述された体系に従ってＲＲＭの新しい巡回を開始する。それ故に、複数のＵＥ及び複数のＳＵＤＡＣの多重の互いに素なセット（考慮されるＵＥに隣接する全てのＳＵＤＡＣ及びＵＥ）が存在し、そこではＲＲＭがそのようなセットの中で全てのリンクのために個々に最適化される。これは、それ故に分散された最適化アルゴリズムであり、そこでは最適化がセットそれぞれごとに同時でなくシーケンシャルに生じる。後述される巡回は、それ故に改善された全体的なリソース割り当てへと導くアルゴリズムにおける反復である。好ましくは、このアルゴリズムは収束しないが振動し、しかし、ＵＥごとに（経時的な）平均データ速度が良好な固定されたリソース割り当てに近いことが予測され得る。この体系は、ＵＥの伝搬状態が著しく変更するとき、例えば、それが他の複数のＳＵＤＡＣを含む他の部屋に動かされるとき又は人体のような障害物が信号シャドーイングを引き起こすときもまた、適合を許す。情報の幾つかは、複数のＳＵＤＡＣから／に変更し、ＢＳに／から特別な制御バックエンド・チャンネルに亘って代替的に実行され得る。
【００７１】
言い換えて表現されると、記述されたアルゴリズムは、ＵＥ隣接の中での完全な状態を考慮し、且つさらに、それは、ＵＥＢとＳＵＤＡＣの間の及びＵＥＣとＳＵＤＡＣＥの間のフロントエンド・リンク、並びにＳＵＤＡＣＤとＢＳＡの間の及びＳＵＤＡＣＥとＢＳＢの間のバックエンド・リンクを含む、望まれ且つ利用可能なデータ速度もまた考慮する。さらに、アルゴリズムは他のＵＥからＳＵＤＡＣを簡易に「奪うこと」を考慮し得、そのパフォーマンスは大いに劣化し得る。
【００７２】
一実施形態によると、制御は、バックエンドでの多重キャリアがキャリア統合を実行するために、又は（協調マルチポイント−ＣｏＭＰとして知られる）同じモバイル・ネットワークの中で多重基地局の併用を可能にするために、使用され得るように実行され得る。さらに、フロントエンド・リソースは、多重キャリアが同じユーザー機器（キャリア統合）のために使用され得るように選択される。また、多重キャリアは、多重ユーザー機器によって使用され得る。加えて、同じモバイル・ネットワークのための複数のＳＵＤＡＣの割り当て及びフロントエンド・チャンネルは、例えば、同じ複数のＳＵＤＡＣ及びチャンネルがＭＵ−ＭＩＭＯを実現することを目的にＵＥ１に及び他のＵＥ２に割り当てられるように、実行され得る。これは、両方のＵＳに同じフロントエンド・チャンネルを割り当てることに代わるものを表現し、そこでは、フロントエンド・リンクが異なるｔ−ｆリソースを割り当てることによって分割される。さらに、制御器は、外国システムによるキャリアによって引き起こされる誤り（ＷｉＧｉｇシステムのような干渉）を避けるようにチャンネルのリソースを選択し得る。
【００７３】
図１ａを参照して、システム４０は、それぞれが多重伝送及び受信アンテナ１２ａ／１２ｂを備え付けられる１つ又は多重（少なくとも２つ）の基地局１０ａ／１０ｂ、多重ＳＵＤＡＣ装置２１０／２２０、及び１つ又は多重のユーザー機器２０を備え得、そこでは、基地局１０ａ／１０ｂは、バンド１においてユーザー機器２０に／からデータを伝送及び受信する（これは、データの最後の距離／リソースが基地局１０ａ／１０ｂ及びユーザー機器２０であることを意味し、一方でこの例において両方の間でバンド１において信号のために非直接的であることを観測する。）。システム４０の主たる利点は、セルラー通信（サブ６ＧＨｚ、ＮＬＯＳ状態でさえ好都合な波動伝搬）及びフロントエンド通信（ミリ波、利用可能な大きなバンド幅）の利点が、ユーザー機器サイズが十分な空間的な分離での多くのアンテナに対して禁止されるサブ６ＧＨｚの難点を避けるために組み合わされることである。
【００７４】
更なる実施形態は、１２ａ／１２ｂと２０の間でデータを交換するための方法に言及する。ダウンリンクのために、ＳＵＤＡＣ２１０／２２０は、バンド１において受信されるバックエンド信号をバンド２のチャンネルに周波数変換し、且つこれらを（増幅及び転送として知られる）フロントエンド・リンクに中継する。アップリンクのために、ＳＵＤＡＣ２１０／２２０周波数は、バンド２のサブ・バンドにおいて受信されるフロントエンド信号をバンド１に変換し、且つそれをバックエンド・リンクに中継する。伝送及び受信に対してフロントエンド・リンクで使用されるためのサブ・バンドの周波数は、これらがダウンリンク及びアップリンクにおいてユーザー機器２０に／からＳＵＤＡＣ２１０／２２０それぞれに関連付けられる信号の間での干渉を避け、且つさらに、Ｗｉ−Ｆｉ又はＢｌｕｅｔｏｏｔｈ（登録商標）のような他のシステムからの干渉を避けるように、制御器によって選択される。
【００７５】
図１ｄは、部屋又は家庭において沢山の位置に配置される専用の装置、いわゆる複数のＳＵＤＡＣ２１０、２２０及び２３０を示す。ＳＵＤＡＣ２１０、２２０及び２３０それぞれは、電池式、幹線から供給される電力、又は太陽光若しくは風力エネルギーによる電力であり得る。それは専用のスタンドアロン装置であり得る。又はそれは、電気的な壁コンセント／ソケット、電気的なライト・コンセント、電気的なライト・スイッチ、分電箱、電気的な延長ケーブル又はソケット、電気的なブラインド、街灯／ポスト、電灯、コンピュータ及び／又は出力ソケットを提供するコンセント・アダプタを含むあらゆる種類の電気的な装置のような、様々な電気的な装置に統合され得る。そのため、形成されるＳＵＤＡシステムは、家庭において又は、のために「点在したインフラ」として言及され得る。それは、自動車、バス／長距離バス（ｃｏａｃｈ）、電車又は他の車両の屋根又は側面にさらに統合され得る。特別に、複数のＳＵＤＡＣは、ユーザー機器に統合され得る。これらは、サブ６ＧＨｚバンドにおいて基地局から及びに信号を受信及び伝送し、且つこれらは、それぞれ、これらをこれらの周辺におけるユーザー機器２０ａ、２０ｂに転送し、且つミリ波バンドにおいてこれらの帰還信号を受信する。より正確には、ダウンリンクのためにＳＵＤＡＣ２１０、２２０及び２３０それぞれにおける基地局１０から受信される信号は、基地局１０の全てのアンテナ１２ａ、１２ｂ及び１２ｃからの（特別に多重化された）信号の重ね合わせである。複数のＳＵＤＡＣ２１０、２２０、２３０は、この重ね合わせを分離することが不可能であるが、ユーザー機器１０ａ、１０ｂに全体としてのそれを処理し且つ転送する。同様に、アップリンクのために、ユーザー機器２０ａ、２０ｂは、ＳＵＤＡＣ２１０、２２０、２３０から基地局１０に向かって伝送されるべき信号を準備し、且つこれらの信号を全てのＳＵＤＡＣ２１０、２２０、２３０に伝送する。この信号は、複数のＳＵＤＡＣ２１０、２２０、２３０（又はむしろ対応するユーザー機器２０ａ、２０ｂ）と基地局１０とのの集合の間での信号多重化を共に提供する完全な信号の重ね合わせである。
【００７６】
数個のＳＵＤＡＣは共に、共有のユーザー機器側の分散アンテナ・システム（ＳＵＤＡＳ）２００を形成する。下記では、ユーザー機器２０ａ、２０ｂとＳＵＤＡＣ２１０、２２０、２３０の間の無線リンクがフロントエンド・リンクとして且つ「バックエンド・リンク」としてＳＵＤＡＣ２１０、２２０、２３０と基地局１０との間のそれらを示されるだろう。更なる実施形態によると、１つ以上のユーザー機器２０ａ及び２０ｂは、基地局１０とユーザー機器２０ａ及び２０ｂの間の直接的な経路によって例示されるように、直接的に、基地局１０のための追加のバックエンド通信リンクを構築するように構成され得る。これは、データ速度を追加的に向上させることを可能にする。これらのリンクは、バックエンド・リンクと同じ周波数バンド１を活用する。２つの周波数バンド（バンド１及びバンド２）が使用される、すなわち、周波数によってユーザー機器２０ａ／２０ｂで終了する２つのリンクを分離するという事実に起因して、直接的な経路と中継経路の間での干渉を効果的に避け、且つそれ故にシステム・パフォーマンスを著しく改善する。ユーザー機器２０ａ及び２０ｂは、（ＭＩＭＯ処理、すなわち、ＭＩＭＯ復号及びＭＩＭＯ先行それぞれに）バンド２の（複数の）チャンネルにおいて信号を受信／伝送するフロントエンドに結び付けてバンド１において受信され／伝送されるこの信号を（事前に）処理する。
【００７７】
バンド２は、多重信号が並行して伝送されるべきであるとき、数個のサブ・バンドに仕切られ得る。そのような伝送は、それ故に、周波数分割多重化又は周波数分割多重アクセス（ＦＤＭ／ＦＤＭＡ）の形成を表現する。ＦＤＭ（Ａ）に代わる有名なものは、時間分割多重化（アクセス）ＴＤＭ（Ａ）、コード分割多重化（アクセス）ＣＤＭ（Ａ）及び空間分割多重化（アクセス）ＳＤＭ（Ａ）である。多重化又は多重アクセスの全てのこられの異なるタイプに順応するために、用語「リソース」は、時間−周波数−コード−空間において空間に信号を送る全てのリソースを示すために使用され、ここで（空間的な多重化のセンスにおける）空間は、例えば信号（偏向、アンテナ要素のインデックス、ビーム形成の場合における方向（極座標における角度）、及び／又は概して（上記を含む）特別な指向特性に導く、ビーム形成のために（偏向した）アンテナ要素それぞれに対する先行するパラメータ（振幅及び位相））それぞれのために個々に使用されるための物理的なアンテナによって提案され得る全ての考えられる信号を送る空間次元を表現する。
【００７８】
図１ｄの上記した実施形態において、複数のＳＵＤＡＣ２１０、２２０及び２３０を備えるＳＵＤＡシステム２００は、一種の分散アンテナ・システムを形成する。ユーザー機器２０ａ、２０ｂと共にＳＵＤＡシステム２００は、アンテナによって伝送されるべき信号を準備する。類似的に、ＳＵＤＡシステム２００は、個々のアンテナによって受信された全ての信号を処理する。着信及び発信信号の処理は、典型的には、ユーザー機器によって実行される。そのような分散アンテナ・システムの利点は、アンテナが近接して位置する非分散アンテナ・システムと比較したとき、空間的な多重化のより高い程度を使用すること、及びそれ故により高いデータ速度での伝送を許す、著しく大きな空間的な多様性である。
【００７９】
更なる実施形態によると、基地局１０は、複数のＳＵＤＡＣのクラスターに向けてビーム形成を実行するために多重アンテナ１２ａ、１２ｂ及び１２ｃを使用する。多重ＳＵＤＡＣは、協働し、且つユーザー機器及び／又は基地局に向けてビーム形成を結び付けて実現化する。上記の制御器によって制御されるこの技術は、協働的なビーム形成と呼ばれ得る。
【００８０】
図２は、２つのユーザー機器２０ａ及び２０ｂに向けて伝送する、２つのＳＵＤＡＣ２１０及び２２０が存在するとき、フロントエンドにおけるダウンリンクを示す。ＳＵＤＡＣ２１０は周波数ｆ1で１つのチャンネルを、且つＳＵＤＡＣ２２０は周波数ｆ2で他のチャンネルを採用する。図１ｄの例に対して、それは、ＳＵＤＡＣ２１０とユーザー機器２０ａの間での信号減衰が大きい場合、且つユーザー機器２０ｂとＳＵＤＡＣ２２０の間でそれも大きい場合、それ故にこれら２つのＳＵＤＡＣ２１０及び２２０が同じフロントエンド・リソース（例えば、周波数）を使用し得、一方で、ＳＵＤＡＣ２３０が第２のチャンネルを使用するべきことを意味する。さもなければ、ＳＵＤＡＣそれぞれは、それ自身のリソースを使用するべきであり、すなわち、複数のＳＵＤＡＣは、合計３チャンネルを占有する。
【００８１】
ダウンリンク及びアップリンクは、（バックエンド・ダウンリンクとバックエンド・アップリンクが同じ周波数を使用する場合、すなわち、時間分割２重化ＴＤＤモードが基地局によって使用されるとき）バンド２の同じリソース又は（バックエンド・ダウンとアップリンクが異なる周波数を使用する場合、すなわち、周波数分割２重化ＦＤＤモードにおいて）異なる１つを使用し得る。フロントエンドにおけるＦＤＭ（Ａ）の場合において、ＳＵＤＡＣは、単独のサブ・バンドにおいてのみ伝送し、且つ単独のサブ・バンドにおいて受信する。一方で、ユーザー機器は、多重サブ・バンドにおいて受信且つ伝送するべきである。フロントエンドにおいて複数のＳＵＤＡＣ及び複数のユーザー機器によって使用されるためのサブ・バンドは、現在の伝送／受信パフォーマンスを最適化する（他のフロントエンド信号との干渉及び衝突を避ける）ために、上記で議論された制御器の同じ内在するアルゴリズムによって割り当てられる。このアルゴリズムは、チャンネル測定の結果（同じサブ・バンドにおける他の伝送器のアクティビティ）に基づき得る。ユーザー機器２０ａ及び２０ｂは、それが新しいＳＵＤＡＣ又は使用済みサブ・バンドにおける変更を特定するとき、その受信信号からＳＵＤＡＣ２１０、２２０によって選択されるダウン及びアップリンクに対してサブ・バンドを検出し得る。
【００８２】
ユーザー機器２０ａ及び２０ｂは、バンド２のチャンネルにおいてフロントエンド信号を受信し、且つ結び付けてこれらを処理する（ＭＩＭＯ検出、例えば、最大尤度（Ｍａｘｉｍｕｍ  Ｌｉｋｅｌｉｈｏｏｄ）又はＭＭＳＥ検出）。類似的に、ユーザー機器は、１つのユース・ケースにおいて、多重アップリンク信号を結び付けて前処理し、且つフロントエンド・リンクでこれらを伝送し得、又は第２のユース・ケースにおいて、そのような前処理なしにこれらのフロントエンド・リンクにおいて多重伝送信号を伝送する。幾つかのユーザー機器と幾つかのＳＵＤＡＣの間でのアップリンクのフロントエンド部が単入力単出力（ＳＩＳＯ）リンクであり得ることを観測されたい。それ故に、ユーザー機器が最初に記述されたユース・ケースにおいてアップリンク信号のために採用するＭＩＭＯ前処理は、複数のＳＵＤＡＣが（複数の）基地局に向かってこれらの信号を中継するときのみ、効果的になる。
【００８３】
図３ａ乃至３ｄを参照して、強化された実施形態、又は異なる状況のための上記の実施形態のアプリケーションが議論されるだろう。
【００８４】
図３ａは、異なる例示を使用して図１ｂのコンテキストにおいて既に記述されたような状況を示す。詳細には、詳細には、図３ａは、２つのユーザー機器２０ａ及び２０ｂ、２つのＳＵＤＡＣ２１０及び２２０、並びに２つの基地局グループ１００ａ及び１００ｂを備える通信システムを示す。
【００８５】
フロントエンド・リンクは、参照番号２１又はｒEHF,1、ｒEHF,2、ｒEHF,3及びｒEHF,4によってマークされる。バックエンド通信リンクは、参照番号１０１並びにｆUHF,1、ｆUHF,2、ｆUHF,3及びｆUHF,4によってマークされる。記述されたシステムの機能性は、図１ｂのシステムの機能性を順守する。このシステム、特にフロントエンド通信リンクは、制御器を使用して制御されるが、図３ａによって例示されないことが留意されるべきである。
【００８６】
図３ｂは、図３ａのシステムの修正を示し、ただ１つのＳＵＤＡＣ２１０が使用される場合である。ここで、ユーザー機器２０ａは、ＳＵＤＡＣ２１０を使用して中継される通信リンクを介する、且つ従来のＬＴＥ又は３Ｇ接続であり得る（参照番号１０２又はｆUHF,5によってマークされる）直接的な通信リンクを介する、すなわち極超短波を使用する、基地局１００ａとの通信において留まる。それに応じて、第２のユーザー機器２０ｂは、直接的な通信リンク１０２／ｆUHF,6を介して、且つＳＵＤＡＣ２１０を使用する中継通信リンクを介して基地局１００ｂに接続される。ここで、フロントエンド通信リンク２１／ｒEHF,1及びｒEHF,2、並びにバックエンド通信リンク１０１／ｆUHF,1及びｆUHF,2は、リソース、例えば時間リソースが、中継リンクそれぞれがアクティブでないように、実際に割り当てられることを明確にするために破線によって例示される。これは、制御器によって、少なくとも時間スロットそれぞれに対して、ＳＵＤＡＣ２１０を使用する中継通信リンクが不可能であるが、ユーザー機器２０ａ又は２０ｂそれぞれのために向上するデータ速度の目的のために可能であろうことを意味する。
【００８７】
図３ｃは、第１のユーザー機器２０ａが、第１の基地局１００ａに直接的に接続され、且つ第２のユーザー機器２０ｂが、第２の基地局１００ｂへの通信のために直接的なリンク及び第２のＳＵＤＡＣ２２０を介する中継リンクを使用する状況を示す。破線によって例示されるように、ＳＵＤＡＣ２１０を介して中継されるリンクは、アクティブではないが、必要な場合、例えば高いデータ速度が必要とされる場合において、第１及び第２のユーザー機器２０ａ及び２０ｂのために利用可能であり得る。
【００８８】
図３ａの実施形態のための時間リソースに関するリソース割り当ての伝達は、図３ｄによって例示される。ここで、第２のユーザー機器２０ｂは、第１のＳＵＤＡＣ２１０の全てのフロントエンド及びバックエンド接続がアクティブでない間に、第２のＳＵＤＡＣ２２０を介して基地局１００ｂへの中継接続を使用する。ユーザー機器２０ｂがより高いデータ速度を必要とする場合、ＳＵＤＡＣ２１０を使用する中継接続が可能にされ得るが、好ましくは、第１のＳＵＤＡＣ２１０を使用する第１のユーザー機器２０ａと第１の基地局１００ａとの間の中継接続がアクティブであるときではない。
【００８９】
概して、制御器は、利用可能なデータ速度の偏りのない分散が達成されるように、全ての状況に対してリソース割り当てを実行する（図３ａ乃至３ｄを参照）。例えば、制御器は、直接的なリンクが、第２のユーザー機器が２つのＳＵＤＡＣを使用して達成され得る高いデータ速度を必要とする場合、第１のユーザー機器のために使用されるように、リソースを制御する。さらにその上、両方のユーザー機器が類似のデータ速度を要求する場合、及び第２のユーザー機器と第２の基地局の間の直接的なリンクが第１の基地局と第１のユーザー機器の間の直接的なリンクよりも良好である場合、そのとき、ユーザー機器は、第１のユーザー機器が中継リンクを使用し、一方で第２のユーザー機器が直接的なリンクを使用するように、リソースを制御する。
【００９０】
図４は、単独のＳＵＤＡＣ２１０及び単独のユーザー機器２０を伴うそのようなシステムのためのダウンリンクを示す。基地局１０が３つの伝送アンテナ１２ａ、１２ｂ及び１２ｃを所有することを観測されたい。ＳＵＤＡＣは、全ての３つのバックエンド信号の重ね合わせを受信する。類似的に、ユーザー機器２０は、３つのバックエンド信号全ての重ね合わせを受信する。ユーザー機器が（示されない）２つの受信アンテナを所有する場合、ＳＵＤＡＣ及び（３つの基地局伝送信号からなる重ね合わされた信号を中継する）追加のフロントエンド・リンクは、基地局１０とユーザー機器２０の間で３×３ＭＩＭＯシステムを作り出し、且つ３つの固定空間的な多重化を許す。
【００９１】
ＳＵＤＡＣ機能性がユーザー機器に統合され得ること、すなわち、元のユーザー機器機能性に加えて、そのような装置が他のユーザー機器のためにＳＵＤＡＣとして振る舞う機能性を含むことを留意されたい。
【００９２】
多重ユーザー機器は、図５ａを参照して、これらの伝送が（複数の）基地局によってスケジューリングされ且つそれ故に衝突が避けられるように、アップリンクにおいて同じフロントエンド・リソースを共有することが可能である。結局、区別は、（ＢＥＬによってマークされる側の）基地局によって実行されるスケジューリング又はリソース割り当てと、ダウンリンク及びアップリンクに対する個々のＳＵＤＡＣへのフロントエンド（すなわち、バンド２）・リソースの割り当てとの間でなされ、すなわち、そこでは、複数のＳＵＤＡＣ及び複数のユーザー機器は、（ＦＥＬによってマークされる側の）バンド２において伝送する。前者は基地局リソース割り当て又は基地局スケジューリングとして言及され、一方で、後者は複数のＳＵＤＡＣリソース割り当てと呼ばれるだろう。図５ａにおいて、ＳＵＤＡＣＳリソース割り当ては、簡易に、ＳＵＤＡＣ１に対するサブ・バンド１及びＳＵＤＡＣ２に対するサブ・バンド２である。ＳＵＤＡＣそれぞれの内側で、基地局リソース割り当てが再び表れる。
【００９３】
数個のＳＵＤＡＣは、同じ位置に配置され得、且つ単独の物理的な装置に統合されさえし得ることを留意されたい。しかしながら、ＳＵＤＡＣ構成要素それぞれは、そのような１つの復号装置の中で、ダウンリンク及びアップリンク方向における両方で、バックエンド・リンクにおける（バンド１においての）アンテナ信号と、（バンド２の）１つのフロントエンド・リンクにおける信号との間での簡易な受け渡しを今もなお実行し得る。
【００９４】
使用時に多重ユーザー機器を有する場合において、（ＦＤＭ（Ａ）サブ・バンドの場合における）異なるチャンネルは、ＳＵＤＡＣそれぞれを使用し得、一方で、多重ユーザー機器は、同じチャンネルを共有する。これは、図５ａを参照して、基地局がバックエンド・リンクでユーザー機器のそのスケジューリングによってフロントエンド・リンクの無衝突使用を保証するように、ＳＵＤＡＣにとって可能になる。
【００９５】
図５ｂは、ｆ−ｔ−ｃ−ｓリソースを変更するための一例を例示する。そこでは、ＳＵＤＡＣは、時間、周波数、コード及び空間領域における（バンド２の）具体的なフロントエンド・リソース、例えば、具体的な時間スロットの間のみのサブ・バンドを採用し得る。そのようなｔ−ｆ−ｃ−ｓリソース割り当ては、（例えば、常にサブ・バンド２の時間スロット１に）固定され、又はシステマテックなパターンに従う。
【００９６】
上記の実施形態の変形は、数個のＳＵＤＡＣがこれらに関連付けられるバンド２において同じダウンリンク及びアップリンクｆ−ｔ−ｃ−ｓリソースを有する場合によって、表現される。これは、バンド２においてｆ−ｔ−ｃ−ｓリソースの不足があるとき、複数の基地局によって使用される空間的な多重化に対して要求されるよりも多くのＳＵＤＡＣがあるとき、且つこのリソース共有によって引き起こされる干渉が許容レベルで留まる場合、有益であり得る。実際には、リソース共有は、リソース共有が非共有の場合におけるリンクそれぞれよりもより高い空間な及び周波数多様性を達成し得る（少なくとも振幅及び転送技術に対して）ユーザー機器から見られるようなマルチパス伝搬チャンネルを作り出すように、達成可能なデータ速度に対して有害である必要がない。
【００９７】
記述された実施形態に対して概して、それは、採用されるｆ−ｔ−ｃ−ｓリソースを選択するだけでなく、転送及び帰還リンクそれぞれにおいて使用される電力を割り当てることの有益も証明し得る。例えば、より高い減衰を伴うフロントエンド・リンクに亘って複数のＳＵＤＡＣ及び複数のユーザー機器によって伝送される信号は、より良好なフロントエンド・リンクに亘って伝送されるそれらよりも大きな電力を使用し得る。リソース共有の場合において、システムは、同じリソースにおいて再び使用する他のそれを増加する間に、同じフロントエンド信号の電力を減じることによってより高いデータ速度に達し得る。
【００９８】
図６は、２つの基地局１０ａ及び１０ｂ並びに３つのユーザー機器２０ａ、２０ｂ、２０ｃ、（３×３ＭＩＭＯを許すために１つの追加のフロントエンド・リンクのみ必要とする）２つの受信アンテナを備え付けられるその中央の１つ２０ｂ、並びに（２つのフロントエンド・リンクを必要とする）１つの受信アンテナを伴う他の２つのために、上記の実施形態に従うＳＵＤＡＣＳ２１０及び２２０を有するＳＵＤＡシステムのためのダウンリンクを示す。
【００９９】
実際の実施形態において、フロントエンド・リンクの接続形態及び伝搬状態は、頻繁に変更し得る。ユーザー機器は位置に入り／離れ又はスイッチ・オン又はオフされる（すなわち、ユーザー機器が現れている又は消えている）。複数のＳＵＤＡＣは、例えばＳＵＤＡＣがライト・コンセントに統合されるとき、現われ又は消えもし得る。ライトがスイッチ・オンされるとき、ＳＵＤＡＣは現れ、それがスイッチ・オフされるとき、それが消える。フロントエンド・リンクの伝搬状態は、例えば、ユーザー機器が再配置され（周囲に運ばれる）とき、経時的に変更し得る。
【０１００】
そのような変更の結果は、フロントエンド・アップリンク及びダウンリンクに対するＳＵＤＡＣＳのｆ−ｔ−ｃ−ｓリソース割り当てが修正されるべきであり得ることである。
【０１０１】
制御器の他の実施形態において、ＳＵＤＡＣが（これが周波数リソースを表現するサブ・バンドのために記述される）その伝送のために新しいｆ−ｔ−ｃ−ｓリソースを使用する必要があるとき、それは、バンド２において受信される信号を感知し、且つフリーなｆ−ｔ−ｃ−ｓリソース又は弱い信号のみを運ぶリソースのためにチェックすることによって、これらのリソース及びその伝送電力を選択し得る。それ故に、関連付けられるユーザー機器は、制御信号を経由して選択されるリソース割り当てについての情報を知らされ得、又はこれらの受信信号を分析することによってそれを簡易に検出し得る。
【０１０２】
他の実施形態において、これらのユーザー機器のそれぞれは、以下の方法の１つによってフロントエンド・アップリンクに亘って伝送されるために、その対応するｆ−ｔ−ｃ−ｓリソース及び電力を選択し得る。ユーザー機器は、適切な制御データを受信し、又はバンド２において受信される信号を感知し、且つフリーなｆ−ｔ−ｃ−ｓリソース又は弱い信号のみを運ぶリソースのためにチェックし得る。それ故に、ユーザー機器は、これらのリソースを占有し且つその電力を適合し得、且つＳＵＤＡＣそれぞれは、その受信信号を分析することによってこのリソース割り当てを検出し得る。周波数／偏向／拡散のシーケンス／時間スロットの既知のペアリングがあり得る。それ故に、ユーザー機器がＳＵＤＡによって使用される、検出されるｆ−ｔ−ｃ−ｓリソースを有するとき、それは、伝送のために対応するペアリングされたリソースを占有し得る。その伝送電力は、例えば、受信信号のレベルに応じて適合され得る。
【０１０３】
ユーザー機器が既に働いており、且つＳＵＤＡＣがその作動を開始し又はリソース及び電力割り当ての更新の幾つかの他の理由を特定した場合のために、上記で議論された自律的なリソース及び電力選択の代わりとなるものは、ハンドシェイク・プロトコルの使用である。このプロトコルは、以下の通信を含み得る。
【０１０４】
ＳＵＤＡＣは、ユーザー機器からｆ−ｔ−ｃ−ｓリソース及び電力割り当て（又は再割り当て）を要求する。ユーザー機器は、ＳＵＤＡのための適切なｆ−ｔ−ｃ−ｓリソース及び電力値を割り当てることによって、応答する。
【０１０５】
代替的に、ＳＵＤＡＣは、その受信信号を分析し、適したｆ−ｔ−ｃ−ｓリソース及び電力値を特定し、その伝送を開始し、且つ全ての周囲のユーザー機器及び／又は複数のＳＵＤＡＣに割り当てられるリソース及び電力についての情報を知らせる。
【０１０６】
複数のユーザー機器及び複数のＳＵＤＡＣは、これらがバンド２において受信且つ伝送する信号（すなわち、これらがｆ−ｔ−ｃ−ｓリソース及びこれらの信号電力それぞれであるもので受信及び伝送する信号）、及び／又はこれらの提案される新しいリソース及び電力割り当てについての分析結果を交換し得る。
【０１０７】
典型的には、ＵＥは、複数のＢＳにリソース割り当ての結果の信号を送る。ＢＳに関連する詳細のみが伝送されることを必要とする。すなわち、ＵＥ情報それぞれがその（複数の）ＢＳにどれだけの量であるか及びどのバックエンド・チャンネルであるかについての情報を知らせ、それが受信及び伝送することが可能である。この情報は、利用可能なＳＵＤＡＣ中継経路に依存する（幾つかのＳＵＤＡＣは、フロントエンドにおいてサポートされるキャリア周波数又はバンド幅に関する制限を有し得る）。
【０１０８】
ユーザー機器は、互いの間で、すなわち、複数のＳＵＤＡＣを通り抜けることなしに、専用のｆ−ｔ−ｃ−ｓリソースで、そのような情報を直ぐに交換し得る。同じものは、複数のＳＵＤＡＣに適用される。これは、ユーザー機器を通り抜けることなしに情報を交換し得る。そのような交換は、例えば、ユーザー機器から、全てのそれの接続される複数のＳＵＤＡＣに且つさらにこれらの複数のＳＵＤＡＣに接続される全てのユーザー機器に、多重ホップに亘って伝搬され得る。
【０１０９】
ｆ−ｔ−ｃ−ｓリソース及び電力割り当ては、全ての加入する装置（複数のユーザー機器及び／又は複数のＳＵＤＡＣ）の間のどのような多重ホップに亘ってインタラクティブに取り決められ得る。追加的に又は代替的に、複数のユーザー機器及び／又は複数のＳＵＤＡＣは、複数のユーザー機器／複数のＳＵＤＡＣ、及びこれらの関連付けられる複数のＳＵＤＡＣ／複数のユーザー機器によって、ＳＵＤＡＣＳリソース割り当てについて、及びバンド２において受信される信号を分析することからの結果についての情報を交換するために、基地局を使用し得る。
【０１１０】
そのようなプロトコルの伝送は、バンド外で（すなわち、フロントエンド・リンク信号においてデータを運ぶそれらと異なるｆ−ｔ−ｃ−ｓリソースを使用して）又はバンド内で（すなわち、データと同じｆ−ｔ−ｃ−ｓリソースを使用して）生じ得る。
【０１１１】
上記で記述されたリソース割り当て体系の代わりに、（複数の）基地局は、複数のユーザー機器／複数のＳＵＤＡＣによって採用されるリソース、及びこれらの関連付けられる複数のＳＵＤＡＣ／複数のユーザー機器についての情報、並びにバンド１及びバンド２において受信される信号を分析することからの結果についての情報を、複数のユーザー機器／複数のＳＵＤＡＣと交換し得る。
【０１１２】
そのような一実施形態において、フロントエンドにおいて使用されるＳＵＤＡＣＳリソースは、複数のユーザー機器及び／又は複数のＳＵＤＡＣの代わりに（複数の）基地局によって割り当てられ得る。そのようなＳＵＤＡＣＳリソース割り当ては、さらに、同じ又は異なるモバイル・ネットワークに属し得る多重基地局の間で協調して実行され得る。この場合において、ＳＵＤＡＣＳリソース割り当ては、十分に頑強な伝送によってバンド内又はバンド外のどちらかで、（複数の）基地局から複数のユーザー機器及び／又は複数のＳＵＤＡＣに伝送される。
【０１１３】
１つの関連付けられる実施形態において、（複数の）基地局は、フロントエンドにおいて使用されるＳＵＤＡＣＳリソース及びこのＳＵＤＡＣＳリソース割り当てについての伝送情報をユーザー機器に割り当て、それは、（バンド内又はバンド外での伝送を使用して）フロントエンド・リンクに亘って複数のＳＵＤＡＣにこの信号伝達情報を転送する。
【０１１４】
更なる実施形態において、ＳＵＤＡＣＳリソース割り当ては、上記で更に記述されたように好ましくは多重ホップに亘って、（複数の）基地局、複数のユーザー機器及び／又は複数のＳＵＤＡＣの間でインタラクティブに実行され得る。
【０１１５】
アップリンクに対して、（スケジューリングが（複数の）基地局によって実行される）基地局リソース割り当てが衝突／干渉のダメージなしに多重ユーザー機器のためのフロントエンド・アップリンクにおいて同じｆ−ｔ−ｃ−ｓリソースの割り当てを許すことを観測されたい。実際には、ユーザー機器それぞれは、これらのｆ−ｔ−ｃ−ｓリソースの一部のみ占有するだろうし、且つ基地局スケジューリングは、図５ａ及び図５ｂを参照して、これらの部分がユーザー機器それぞれのために区別されることを保証するだろう。
【０１１６】
数個の装置は、個々の信号伝送のために同じＳＵＤＡＣリソースを共有し得る。例えば、ユーザー機器は、同じフロントエンド・リンクで多重ＳＵＤＡＣに伝送され得る。この場合において、（バンド内又はバンド外で）信号と並行に伝送されるアドレスは、（ＭＡＣアドレス［Ｍｅｄｉｕｍ  Ａｃｃｅｓｓ  Ｃｏｎｔｒｏｌ  Ｌａｙｅｒ］と比較可能である）意図される受信者を特定し得る。
【０１１７】
他の例において、多重ユーザー機器は、同じフロントエンド・リソースで同じＳＵＤＡＣに向かって伝送し得る。この場合において、衝突検出は、これらの信号が互いに干渉した場合、再伝送を開始するためにユーザー機器によって使用され得る。
【０１１８】
信号伝達がバックエンド・リンクで（複数の）基地局と多重ＳＵＤＡＣ／ユーザー機器との間で交換される、前述した場合に対して、装置アドレス（ＭＡＣアドレス）は、アップリンクの遠くにダウンリンク及び衝突検出のために使用され得る。
【０１１９】
ユーザー機器から複数のＳＵＤＡＣへのバンド内又はバンド外での信号伝達は、バックエンド・リンク（バンド１）、例えばＬＴＥによって使用されるような（時間−周波数）リソース・ブロックでの伝送又は受信のために使用されるための基地局ｆ−ｔ−ｃ−ｓリソースをさらに含み得る。それ故に、ＳＵＤＡＣは、基地局のためにバックエンドに亘ってこれらのリソースでのみアップリンク信号を中継し、且つそれは、指定されたリソースでのみバックエンド・ダウンリンク信号を選択的に受信し、且つそれをフロントエンドで対応するユーザー機器に中継する。
【０１２０】
代替的に、ＳＵＤＡＣは、基地局から伝送される基地局リソース割り当て信号伝達を分析し、且つそれの接続されるユーザー機器に割り当てられる基地局リソースのためのみにバックエンドとフロントエンドとの間で信号を中継することを適用し得る。この手続は、この信号伝達情報が複数のＳＵＤＡＣによって復号され得ることを要求する。（複数の）基地局は、十分な信号品質を保証するために、特に頑強な（バンド内又はバンド外の）伝送を使用し得る。
【０１２１】
複数のユーザー機器から複数のＳＵＤＡＣへの基地局リソース割り当てのそのような転送のための、又は代替的に複数のＳＵＤＡＣにおける基地局リソース割り当ての検査のための、ユース・ケースは、基地局から時間分割２重（ＴＤＤ）の場合において、受信及び伝送期間の適合である。他のユース・ケースは、基地局が１つのＳＵＤＡＣＳの内側の全てのＳＵＤＡＣによってバンド２において収容され得るものよりも大きいバンド幅を伝送する場合、起こる。この場合において、複数のＳＵＤＡＣは、これらの関連付けられる複数のユーザー機器に対処し且つこれらに由来するそれらの信号のみを選択的に中継する。そのような体系において、ＳＵＤＡＣは、ユーザー機器に情報を知らせるために追加の信号伝達を伝送する必要があり、そこでは基地局リソースがＳＵＤＡＣＳリソースにマッピングされた。
【０１２２】
上記において、複数のＳＵＤＡＣのための実施形態は、復号することなしに増幅及び転送手続を実行するユニットのように記述されたが、複数のＳＵＤＡＣは、ダウンリンクにおいて量子化及び再変調を備えるいわゆる圧縮及び転送手続き、並びにアップリンクにおいて復調及びデジタル−アナログ変換を備える復号及び転送手続きを実行するようにさらに構成され得る。
【０１２３】
ＳＵＤＡシステムの一実装によると、１つのユーザー機器は、以下の方法でＳＵＤＡＣを形成し得る。受信するバンド１信号が一方で直接的にユーザー機器において使用され得、他方でバンド２に亘って他のユーザー機器に転送され得、類似的に、伝送されるバンド１信号は、ユーザー機器それ自身に由来し得、又は他のユーザー機器から受信されるバンド２信号から転送され得る。
【０１２４】
更なる実施形態によると、バンド１における信号は、バンド２のサブ・バンドに／からアナログ信号のように簡易に中継されない。代わりに、バンド２におけるフロントエンド信号は、バンド１バックエンド信号のデジタル表現を運ぶ。例えば、ダウンリンクのために、バックエンド信号の同相及び直角位相の構成要素が、サンプリングされ、量子化され且つ好ましくは圧縮され、且つＳＵＤＡＣにおいてＦＥＳ符号化され且つフロントエンド・リンクに亘って伝送される。この技術は、圧縮及び転送として知られる。そのようなフロントエンド信号は、例えば、より高いオーダーの信号配列がフロントエンドにおいて使用されるとき、バックエンド信号と比較して減じられるバンド幅を占有し得、又は頑強さは、ＦＥＣ符号化、すなわち、ユーザー機器が共有のアナログ中継に対してよりも大きいことによって見られるような最後のノイズに対する信号比率によって向上され得る。
【０１２５】
更なる実施形態によると、ＳＵＤＡＣそれぞれは、中継される信号又は複数の信号を生産するために、線形的なフィルタリングを実行するための幾つかの制御器アルゴリズムによって構成される線形的なフィルタを備え得る。１つのユース・ケースにおいて、同じＳＵＤＡＣの２つのアンテナによって受信される２つの極超短波・ダウンリンク信号は、極高周波における単独のフロントエンド・リンクに亘って組み合わされ且つ伝送され得る。このフィルタリングは、例えば、最大無線組み合わせを表現し得る。類似的に、アップリンクのために、単独のフロントエンド信号は、ＳＵＤＡＣの２つのバンド１アンテナに亘って伝送される第１又は第２のバックエンド通信リンクを取得する２つの異なる方法で線形的にフィルタリングされ得る。このフィルタリングは、例えば、ビーム形成を表現し得る。
【０１２６】
更なる実施形態によると、ユーザー機器それぞれは、バンド２のためにアンテナ配列を所有し、且つダウンリンク及びアップリンクのためにバンド２の多重サブ・バンドを使用することの代わりに、複数のＳＵＤＡＣに／から伝送／受信するためにバンド２におけるビーム形成及び／又は干渉除去を使用する。ことによると、ＳＵＤＡＣそれぞれは、バンド２のために１つのアンテナ配列を所有し、且つユーザー機器に／から伝送／受信するためにバンド２におけるビーム形成及び／又は干渉除去を使用する。この実施形態が上記の実施形態において使用されたような周波数分割多重アクセス（ＦＤＭＡ）を空間分割多重アクセス（ＳＤＭＡ）に置き換えることを観測されたい。ビーム形成の形状は、ユーザー機器／ＳＵＤＡＣそれぞれのために静的に構成され得、又は現在の伝送／受信パフォーマンスを最適化するためにユーザー機器／ＳＵＤＡＣの内側で幾つかのアルゴリズムによって適合され得る。
【０１２７】
他の実施形態によると、ＳＵＤＡＣが多重バンド１アンテナを所有する場合、ユーザー機器は、ＳＵＤＡＣに信号を送り、それはこれらの多重アンテナが伝送するべきもの（すなわち、例えば、１つ又は数個のデータ・ストリームのビーム形成のために必要な線形的なフィルタの異なるデータ・ストリーム又は機器構成）である。
【０１２８】
更なる実施形態によると、ＳＵＤＡＣそれぞれは、１つ又は多重の偏向アンテナを所有し、且つビーム形成を使用することの代わりに、複数のユーザー機器に／から伝送／受信するためにフロントエンドにおける単独の偏向を使用し、且つ／又はユーザー機器は、１つ又は多重の偏向アンテナを所有し、且つビーム形成を使用することの代わりに複数のＳＵＤＡＣに／から伝送／受信するためにフロントエンドにおける単独の偏向を使用する。使用された偏向は、ＳＵＤＡＣ／ユーザー機器それぞれのために静的に構成され得、又はそれは、現在の伝送／受信パフォーマンスを最適化するために（フロントエンドにおける伝送器のように振る舞う）ＳＵＤＡＣ／ユーザー機器において幾つかの内在するアルゴリズムによって割り当てられ得、且つ受信器（ユーザー機器又はＳＵＤＡ）によって信号から検出され得る。
【０１２９】
更なる実施形態によると、ＳＵＤＡＣそれぞれは、（例えば、フロントエンド・ダウンリンク信号よりも大きいバンド幅の拡散シーケンスとの乗算によって、）フロントエンド・ダウンリンク信号のために直接スペクトラム拡散（ＤＳＳＳ）の感知において拡散を実行し、且つバンド２の多重サブ・バンドを使用することの代わりに、バンド２においてそう処理される信号をユーザー機器に伝送する。ユーザー機器は、非拡散、且つことによると、バンド２の多重サブ・バンドを受信することの代わりに、接続される複数のＳＵＤＡＣのそれぞれから受信される信号の干渉除去／マルチ・ユーザー検出を実行する。ダウンリンクの代わりに又は追加的に、そのようなＤＳＳＳ拡散技術は、バンド２の多重サブ・バンドにおいて伝送すること／受信することの代わりにフロントエンド・アップリンクにおいて使用され得、そこでは、ユーザー機器及びＳＵＤＡＣは、記述されたダウンリンク技術と比較してこれらの役割を交換する。この実施形態が上記の実施形態において使用されたような周波数分割多重アクセス（ＦＤＭＡ）をコード分割多重アクセス（ＣＤＭＡ）に置き換えることを観測されたい。使用されたＤＳＳＳシーケンスは、ＳＵＤＡＣ／ユーザー機器それぞれのために静的に構成され得、又はこれは、現在の伝送／受信パフォーマンスを最適化するために、（フロントエンドにおいて伝送器として振る舞う）ＳＵＤＡ／ユーザー機器において幾つかの内在するアルゴリズムによって割り当てられ得、且つ受信器（ユーザー機器又はＳＵＤＡＣ）によって信号から検出され得る。
【０１３０】
更なる実施形態によると、ＳＵＤＡＣは、バンド２の多重サブ・バンドを使用することの代わりに、複数のユーザー機器に／からバンド２における専用の時間スロットにおいてのみフロントエンド信号としてアナログ・バックエンド信号（バンド１）のサンプリングされ、量子化され（ことによると圧縮され且つＦＥＣ符号化された）表現を伝送し且つ／又は受信する。類似的に、ユーザー機器は、バンド２の多重サブ・バンドを使用することの代わりに、複数のＳＵＤＡＣから／にバンド２における専用の時間スロットにおいてのみアナログ・バックエンド信号（バンド１）のそのようなデジタル表現を受信し且つ／又は伝送する。この実施形態は、上記の実施形態において使用されたような周波数分割多重アクセス（ＦＤＭＡ）を時間分割多重アクセス（ＴＤＭＡ）に置き換えることを観測されたい。採用される時間スロットは、ＳＵＤＡ／ユーザー機器それぞれのために静的に構成され得、又はこれらは、現在の伝送／受信パフォーマンスを最適化するために（フロントエンドにおいて伝送器として振る舞う）ＳＵＤＡＣ／ユーザー機器における幾つかの内在するアルゴリズムによって割り当てられ得、且つ受信器（ユーザー機器又はＳＵＤＡ）によって信号から検出され得る。
【０１３１】
図１ａを参照して、ユーザー機器２０は、ＳＵＤＡシステム２００とユーザー機器２０の間での伝送がダウンリンクにおいていわゆる多入力単出力伝送（ＭＩＳＯ）、且つアップリンクにおいて単入力多出力伝送（ＳＩＭＯ）であるために、単独のアンテナのみ有し得ることが留意されるべきである。多重ユーザー機器を使用する場合において、多重ユーザー機器のための同時伝送を伴う完全なシステムは、それ故に、下記において議論されるであろう多重ユーザー−ＭＩＭＯ（ＭＵ−ＭＩＭＯ）を表現する。
【０１３２】
図１ｂを参照して、制御アルゴリズムを実行するＣＰＵとして実装され得る制御器５０が基地局システム１００、ＳＵＤＡシステム２００又はユーザー機器２０に統合され得ることが留意されるべきである。代替的に、制御器は、いわゆる分散制御手段を形成するために、システム１４全体の数個のユニットに統合され得る。
【０１３３】
制御器５０は、バンド２に対するｆ−ｔ−ｃ−ｓリソース及びバンド１に対するｆ−ｔ−ｃ−ｓリソースを静的に割り当てるように、又はリソースそれぞれを動的に変更するためにさらに構成され得る。
【０１３４】
上記で議論された制御器は、任意で、ＳＵＤＡシステムにおいてリンクされる隣接するＳＵＤＡシステム又は更なるユーザー機器への干渉が避けられるように、ｆ−ｔ−ｃ−ｓリソースを選択するように構成され得る。１つ以上のＳＵＤＡシステムを介してセルラー・ネットワークに接続される多重ユーザー機器のために多重データ信号の伝送をスケジューリングするために、複数のＳＵＤＡＣそれぞれは、複数のユーザー機器それぞれに割り当てられるリソースが制御され得ることを介して制御信号を交換するように構成され得る。それ故に、ＳＵＤＡＣＳを制御するために上記で議論された方法は、一方で複数のＳＵＤＡＣ（それ自身及び隣接する複数のＳＵＤＡＣ）と他方で全ての隣接するユーザー機器との集合の間でバンド２チャンネル状態に従い、且つ一方で複数のＳＵＤＡＣと他方で全ての隣接する複数の基地局との集合の間でバンド１チャンネル状態に従い、バンド２においてそれの使用されたｆ−ｔ−ｃ−ｓリソース・スケジューリングを調整するステップを備え得る。
【０１３５】
さらに、バンド２においてスケジューリングする使用されたｆ−ｔ−ｃ−ｓリソースの調整するステップは、役立つ複数のユーザー機器のために受信信号のボリューム（例えば、ある時間間隔の中のサンプルの数）に従い得る。
【０１３６】
図１ｄを参照して、代替的に可視光通信（ＶＣＬ）がフロントエンド・リンクのために使用される代わりのものであり得ることが留意されるべきである。
【０１３７】
更なる実施形態によると、ＳＵＤＡＳは、図７によって例示されるような、複数のＵＥの重複する集合によって結び付いて離間して制御される点在したインフラである。ここで、１つの集合における全てのＵＥは、直ぐ近くにある。集合が重複している（互いに素でない）ので、複数の集合の間の明らかな境界がない。１つのＳＵＤＡＳは、１つの完全な家庭又は１つの完全な町でさえカバーし得、且つ１つの集合は、１つの部屋において全てのＳＵＤＡＣに対応し得る。しかしながら、部屋Ａにおける複数のＳＵＤＡＣの幾つかは、隣接する部屋Ｂにおいてもまた多分受信し得、一方で他はし得ない。それ故に、これらのＳＵＤＡＣは、部屋Ａにおける集合Ａに属し、且つ隣接する部屋Ｂにおいてそれにもまた属する。それは、複数のＳＵＤＡＣの非常に拡張されたネットワークが複数のＵＥの非常に拡張されたネットワークによって制御され、そこでは（サブＳＵＤＡＳ、すなわちサブシステムとしてもまた言及される）ＳＵＤＡＳのローカルなサブセット（すなわち、集合）がそれに隣接するＵＥ集合によって圧倒的に制御されることを意味する。間接的に、（リソース割り当てが分散アルゴリズムであるので、）さらに離れるビットごとの複数のＵＥでさえ制御への影響を有するだろうが、しかし、この影響は距離とともに下がる。
【０１３８】
図７のこの構造は、リソース割り当てのための取り組みを説明する。ＵＥそれぞれは、利用可能な複数のＳＵＤＡＣ、チャンネル及び完全なネットワークの伝搬状態について（又は全ての他のＵＥでさえについて）の情報を有さず、それ故に、アルゴリズムは、これらがそのような認識を要求しない場合、適用可能でない。そのような認識がＵＥそれぞれからネットワークを通って個々のＵＥそれぞれに伝搬されるべきである場合、それ故に通信オーバーヘッドが莫大である。
【０１３９】
更なる一実施形態によると、１つのＳＵＤＡＳインフラは、１つの家庭（基地局）の外側から内側で通信するためだけでなく、複数の部屋の間で通信するためにもまた使用され得る。下記での形態において例示される場合を考慮されたい。１つの家庭は、例えばリビング・ルームにおいて終結する家庭への（光）ファイバー接続を有する。それ故に、リビング・ルームの内側で全ての装置に高いデータ速度を提供するために６０Ｇ通信を場合によっては使用する、リビング・ルームにおいて、フェムト（又は家庭）基地局がある。しかしながら、他の部屋において（例えば、家庭オフィスにおいて）もまた高いデータ速度に到達するために、それが壁を突き抜けられないので、６０Ｇ通信が不可能である。従来のＷｉ−Ｆｉは、ＭＩＭＯ利得が小さすぎるので（フェムトＢＳが最大４つのアンテナを有するので）、望まれる高いデータ速度を配信しないだろう。しかしながら、フェムトＢＳは、６０Ｇを使用してリビング・ルームにおいて多重ＳＵＤＡＣと通信し得、且つ事前にコード化されたＶＭＩＭＯ信号をこれらの複数のＳＵＤＡＣに伝送し、それはそれ故に信号を、ｓ６Ｇ周波数バンドを超えて家庭オフィスに中継する。それ故に、数個のＳＵＤＡＣは、ＶＭＩＭＯ信号を受信し、且つそれを、６０Ｇを超えてＵＥに転送し、それはそれ故にＶＭＩＭＯ復号を実行し得る。当然ながら、同じものがアップリンクのための他の方向において適用される。
【０１４０】
下記では、マルチ・ユーザーＭＩＭＯ設備を有するさらなる一実施形態が議論されるだろう。同じ基地局グループ（モバイル・ネットワーク）に属する２つのユーザー機器が並行してデータを受信及び伝送する必要があり、且つ図１ｂを参照して−両方が同じＳＵＤＡＣを参照する場合を考慮されたい。
【０１４１】
それ故に、図８ａによって例示されるように、複数のユーザー機器のためのＳＵＤＡＣの割り当て、及びバックエンド及びフロントエンド・リソースの割り当てのための３つのオプションがある。ここで、フロントエンド・リソースは、ｒEHF,Iによってマークされる。
【０１４２】
第１のオプションによると、基地局グループは、非重複の時間−周波数−コード・リソースをバックエンドで両方のユーザー機器に割り当てる。すなわち、２つのユーザー機器は、同じ時間／周波数／拡散コードで受信し（又はそれぞれ伝送し）ない。この場合において、両方のユーザー機器がＳＵＤＡＣを常に共有し得、又はこれらが代わる代わるＳＵＤＡＣをことによると使用し得る。すなわち、ダウンリンクのために、ＳＵＤＡＣは、常に両方のＳＵＤＡＣに、又は最初にＳＵＤＡＣ１に且つその後でＳＵＤＡＣ２などに、バックエンド・リンクを中継する。アップリンクのために同じ原理が従い得る。この体系の利点は、リソース割り当て及び複数のユーザー機器及び基地局の両方の単独の処理がかなり簡易であることである。
【０１４３】
第２のオプションによると、基地局グループは、同じ時間−周波数−コード・リソースをバックエンドで両方のユーザー機器に割り当てる。すなわち、２つのユーザー機器は、同じ時間／周波数／拡散コードで受信し（又はそれぞれ伝送し）、且つＳＵＤＡＣは、同時に両方のユーザー機器に、又は如何なる１つの伝送スロットのために１つのユーザー機器に割り当てられ、且つ次の伝送スロットのために他のユーザー機器にことによると再び割り当てられ得る。これは、如何なる伝送スロットにおいても、両方のユーザー機器がＳＵＤＡＣによって表現される可視的なアンテナに加えてこれらの内在するアンテナを有し、且つ両方が１つのＮ×２ＭＩＭＯシステムを使用し得、又は１つのユーザー機器がＳＵＤＡＣによって表現される可視的なアンテナに加えてそれの内在するアンテナを有し、且つ基地局グループを伴う１つのＮ×２ＭＩＭＯシステムを使用し得、一方で、他のユーザー機器がそれの内在するアンテナを所有するのみであり且つ１つのＮ×１ＭＩＳＯシステムのみを使用し得ることを意味する。両方のユーザー機器が同じ時間−周波数−コード・リソースを採用するので、これらの伝送は、異なる位置において（可視的な）アンテナを使用することによって、空間次元において分割のみされる。複数のユーザー機器において処理する信号を使用して、ダウンリンク信号は、３つの受信アンテナに対して最大３つの空間的なストリームの合計を与えて、１つのユーザー機器のためのダウンリンクが単独の空間的なストリームのみから成り、且つ他のユーザー機器のためのダウンリンクが２つの空間的なストリームよりも多くから成る限り、分割され得る。そのような１つの体系は、マルチ・ユーザーＭＩＭＯ（ＭＵ−ＭＩＭＯ）と呼ばれる。この体系の利点は、複数のユーザー機器及び基地局の両方を処理する信号が複雑すぎず、且つ体系が以前の非ＭＵ−ＭＩＭＯ体系よりも高い全体的なデータ速度（２つのユーザー機器の和）を達成し得ることである。なぜならば、３つの（可視的な）アンテナの全ては常に同時に使用され、それ故に空間次元を完全に利用する。
【０１４４】
第３のオプションによると、基地局グループは、同じ時間−周波数リソースをバックエンドで両方のユーザー機器に割り当てる。すなわち、２つのユーザー機器は、同じ時間／周波数を受信し（又はそれぞれ伝送し）、且つＳＵＤＡＣは、同時に両方のユーザー機器に常に割り当てられる。これは、如何なる伝送スロットにおいても、両方のユーザー機器が、ＳＵＤＡＣによって表現される可視的なアンテナに加えてこれらの内在するアンテナを有し且つ基地局グループを伴う１つのＮ×２ＭＩＭＯシステムを使用し得ることを意味する。この体系において、両方のユーザー機器のためのダウンリンクは、２つの空間的なストリームから同時に成る。両方のユーザー機器が同じ時間−周波数リソース及び部分的に同じ空間リソース（１つの共有アンテナ）を採用するので、これらの伝送は、空間次元によってサポートされるコード次元において分割のみされ得る。チャンネル容量にアプローチするために、−（例えば、最小平均平方誤差基準に基づく）線形的なフィルタリング、干渉除去、（例えば、球形の復号器を使用する）最大尤度復号、又は最大尤度復号の結果にアプローチする反復方法であれば−分割は、一種のマルチ・ユーザー検出を要求する。そのような１つの体系は、ＭＵ−ＭＩＭＯの変形でもまたある。１つのユーザー機器がそれ自身のダウンリンク信号を復号することが必要であるのみである間に、第２のユーザー機器は、その後にそれ自身のダウンリンク信号の第２の復号が続く第１のユーザー機器と同じ復号を最初に実行し、そこでは第１の復号の結果が考慮されるべきである。第１のユーザー機器ＵＥ１がそのダウンリンク信号を復号するとき、第２のダウンリンク信号は干渉として考慮され、且つ図８ａにおいて表示される速度領域におけるデータ速度Ｒ1は、このダウンリンクを越えて伝送され得る（又は、ＵＥ２が第１のユーザー機器の役割を果たすとき、Ｒ2それぞれ）。第２のユーザー機器ＵＥ２は、Ｒ2よりも高いデータ速度Ｒ2|1を実現化し得る。なぜならば、第１のユーザー機器の復号ダウンリンク信号が、考慮され、且つそれ以上干渉を表現しないためである（ユーザー機器の役割が交換されるとき、類似してＵＥ１に対するＲ1|2）。「Ｒ1´＋Ｒ2」によってラベル付けされる速度領域の（いわゆる支配的な）面（ｆａｃｅ）は、著しい複雑さを表現する、ジョイント・マルチユーザー検出を実行すること（すなわち、シーケンシャルの代わりに結び付けて両方のダウンリンク信号を復号すること）によって、又は単独のユーザー機器が少なくとも２つの可視的なユーザー機器−同じ伝搬チャンネルを正確に体験するそれぞれ、及びユーザー機器の合計データ速度がＲi´＝Ｒi,1＋Ｒi,2＋・・・である、データ速度Ｒi,1、Ｒi,2、・・・を割り当てられるそれぞれ−に人工的に分割され、速度分割アプローチ（Grant, AJ.; Rimoldi, B.; Urbanke, R.L.; Whiting, P.A, "Rate-splitting multiple access for discrete memoryless channels," Information Theory, IEEE Transactions on , vol.47, no.3, pp.873,890, Mar 2001を参照）を使用することによって、のどちらかで到達され得るのみである。アップリンクのために、類似する復号手続き及び速度分割アプローチが使用され得、そこでは、しかしながら、復号が基地局において排他的に実行される。この体系の利点は、それが以前の体系よりも高い全体的なデータ速度（２つのユーザー機器の和）でさえ達成し得ることである。なぜならば、図８ｂによって例示されるように、両方のユーザー機器が同時に空間次元を完全に利用し（両方が２つの（可視的な）アンテナを使用し）、且つそれが要求されるデータ速度を複数のユーザー機器に割り当てるために一層柔軟であるためである。
【０１４５】
図８ｂは、結果として生じるデータ速度でＭＵ−ＭＩＭＯシステムを使用する２つのＵＥの相互影響を例示する略図を示す。その難点は、リソース割り当て及び特に空間処理が以前のアプローチに対してよりも著しく一層複雑であることである。
【０１４６】
一実施形態によると、複数のユーザー機器及び／又は基地局は、共有の複数のＳＵＤＡＣのために、すなわち、複数のユーザー機器の共有の可視的なアンテナのために、マルチ・ユーザーＭＩＭＯ検出を実行する。ここで、（例えば、最小平均平方誤差基準に基づく）線形的なフィルタリング、干渉除去、（例えば、球形の復号器を使用する）最大尤度復号、又は最大尤度復号の結果にアプローチする反復方法のような技術が使用され得る。さらに、リソース割り当てのために上述された方法が、そのようなＭＵ−ＭＩＭＯ概念に対して適用可能である。例えば、２つのユーザー機器は、異なる（拡散）コード・リソースが選択される場合、同じ時間−周波数リソースを使用し得る。このリソース割り当ては、上述された制御器によって実行される。
【０１４７】
上述された制御器は、図９ａ及び９ｂによって例示されるような、１つの第１及び第２のＢＳ−ＳＵＤＡＣを備える他のシステムに適用可能でもあり得る。
【０１４８】
図９ａは、極超短波を使用する（バックエンド・リンク２２を参照）基地局１００´、ここでは１つのフェムト／家庭基地局をそれぞれ伴うバックエンド間の通信リンク１０３を構築するために構成される第１及び第２のＢＳ−ＳＵＤＡＣ２６０及び２７０を備えるＳＵＤＡＣシステムの略ブロック図を示す。基地局１００´は、サービス提供者から情報を受信するために構成され、例えば、基地局１００´は、例えば、光ファイバー、有線接続又は無線接続を介して帰路接続を備える家庭サーバーのようなローカルな課程基地局であり得る。これは、フェムト基地局又は家庭基地局と呼ばれ得る。基地局１００´は、例えば３つ、４つ又はそれ以上の複数の無線通信インターフェイス又はアンテナ、を備える。
【０１４９】
基地局１００´は、ＢＳ−ＳＵＤＡＣＳ２６０及び２７０へのＬｏＳ接続に基づきバックエンド・リンク２２を構築するために構成される。ＢＳ−ＳＵＤＡＣＳ２６０及び２７０は、それ故に基地局１００´の可視的なアンテナとして活用され得る。ユーザー機器２０によって活用される複数のＳＵＤＡＣ２１０及び２２０と比較したとき、基地局１００´は、類似する方法で複数のＢＳ−ＳＵＤＡＣ２１０及び２２０を活用する。第１の側で基地局１００´とＢＳ−ＳＵＤＡＣ２６０及び２７０との間、且つ第２の側でユーザー機器２０とＳＵＤＡＣ２１０及び２２０との間での通信は、極超短波を使用して構築されるイントラ・ネットワーク・リンク１０１によって可能になる。これは、１つの接続リンクが、基地局及び１つのＳＵＤＡＣそれぞれの通信パートナー、ユーザー機器２０、ＳＵＤＡＣ２１０、２２０、ＢＳ−ＳＵＤＡＣ２６０及び２７０、並びに基地局１００´の間で構築されるだけでなく、複数の又は多重でさえあるチャンネルを介して互いに通信し得るように、一層効果的な方法による基地局１００´からＳＵＤＡＣ２１０及び２２０への情報の配信を許す。
【０１５０】
ＢＳ−ＳＵＤＡＣは、極高周波を使用する基地局１００´に、且つさらにＳＵＤＡＣ２１０ａ及び２２０ｂに、且つ／又は超極短波を使用するユーザー機器２０に対する通信リンクを構築するために構成される１つのＳＵＤＡＣ２１０又は２２０´によって実装され得る。簡単に言えば、ＢＳ−ＳＵＤＡＣ２６０及び２７０は、交換された役割においてユーザー機器２０及び基地局１００´と通信する１つのＳＵＤＡＣ２１０又は２２０であり得る。
【０１５１】
代替的に、ＳＵＤＡＣシステムは、１つのＳＵＤＡＣの異なる数、例えば０、１又は２つ以上ごとに１つのＢＳ−ＳＵＤＡＣ２６０又は２７０のみを備え得る。
【０１５２】
言い換えると、ＳＵＤＡＳインフラは、家庭（基地局）の外側から内側に通信するだけでなく、複数の部屋の間の通信のためにも使用され得る。図９ａにおいて描写されるように、家庭は、例えばリビング・ルームにおいて終結する家庭への（光）ファイバー接続を有する。それ故に、リビング・ルーム、例えば、リビング・ルームの内側で全ての装置に高いデータ速度を提供するために、６０Ｇ（バンド１）通信をことによると使用するリビング・ルームそれぞれにおいて、フェムト（又は家庭）基地局１００´がある。しかしながら、他の部屋において（例えば、家庭オフィスにおいて）もまた高いデータ速度に到達するために、６０Ｇ通信が、壁を突き抜け得ないので、不可能である。従来のＷｉ−Ｆｉは、（例えば、フェムト基地局１００´が最大４つのアンテナを有するとき）、ＭＩＭＯ利得が小さすぎるので、望まれる高いデータ速度を配信し得ない。しかしながら、フェムトＢＳは、６０Ｇを使用してリビング・ルームにおいて多重ＳＵＤＡＣと通信し得、且つ事前にコード化された可視的なＭＩＭＯ（ＶＭＩＭＯ）信号をこれらのＳＵＤＡＣ２６０及び２７０に伝送し、それはそれ故に信号を、ｓ６Ｇ周波数バンド（バンド２）を超えて家庭オフィスに中継する。ここで、数個のＳＵＤＡＣ２１０及び２２０は、ＶＭＩＭＯ信号を受信し、且つそれを、６０Ｇを超えてユーザー機器２０に転送し、それはそれ故にＶＭＩＭＯ復号を実行し得る。当然ながら、同じものがアップリンクのための他の方向において適用される。このシナリオは、それが（「フロントエンド・リンク」と呼ばれるが、しかし、このシナリオにおいて違反されないこれの意味である）バンド２におけるリンク／チャンネルを活用するので、フェムト基地局１００´をさらに含む、リソース割り当てのために要求され得る。
【０１５３】
図９ｂは、２つのユーザー機器２０ａ及び２０ｂ並びに２つのＳＵＤＡＣ２１０及び２２０を備える更なるＳＵＤＡＣシステムの略ブロック図を示す。ＳＵＤＡＣ２１０は、ユーザー機器２０ａを伴うフロントエンド通信リンク２１ａ＿１と、ユーザー機器２０ｂを伴うフロントエンド通信リンク２１ｂ＿１と、を構築した。ＳＵＤＡＣ２２０は、ユーザー機器２０ｂを伴うフロントエンド通信リンク２１ａ＿２と、ユーザー機器２０ａを伴うフロントエンド通信リンク２１ｂ＿２と、を構築した。基地局１００´とＳＵＤＡＣ２２０の間のフロントエンド通信リンク１０１は、例えば、ユーザー機器２０ａ及び２０ｂが基地局１００´からのサービスを全く要求しないので、（一時的に）非アクティブである。それ故に、ユーザー機器２０ａ及び２０ｂ並びにＳＵＤＡＣ２１０及び２２０は、例えば、基地局１００´のための欠落した又は非アクティブな通信リンクに基づき、又はユーザー機器２０ａ若しくは２０ｂによって伝送されるユーザー・コマンドに基づき、装置−装置（Ｄ２Ｄ）作動モードに切り替わり得る。
【０１５４】
ＳＵＤＡＣシステムは、１つのユーザー機器２０ａ又は２０ｂから他への情報及び／又はデータの効率的な伝搬を許す。これは、１つの小さい部屋又は空間の中で、例えば、１件の建物又は１台の自動車の内側で、例えば、放送する又は共有する動画又はオーディオのために、意図され得る。ＳＵＤＡＣシステムは、上記で記述されたように、例えば、ユーザー・コマンドに基づき、又は基地局からユーザー機器２０ａ若しくは２０ｂへの又はその逆も然りの通信要求に基づき、いつもの（ｒｅｇｕｌａｒ）作動に戻るように切り替わり得る。リソース割り当ては、制御器によって（又は実装された制御器を備えるＳＵＤＡＣ２１０、２２０、ユーザー機器２０ａ及び／又は２０ｂによって）実行され得る。それ故に、（上記で議論された制御器と比較可能な、すなわち、制御が上記で議論された制御原理に従って実行される）少なくとも制御器は、リソース割り当てを決定し且つ伝播するために通信パートナーの残りを承知することを要求され得る。
【０１５５】
代替的に、１つ又は２つ以上のＳＵＤＡＣのみが配置され得る。代替的に又は追加で、２つ以上のユーザー機器が配置され得る。
【０１５６】
言い換えると、２つのＵＥが（基地局を介さないで）直接的にデータを交換したいとき、図１０ａにおいて描写されるシナリオに類似するシナリオが存在する。これは、装置−装置（Ｄ２Ｄ）通信と呼ばれる。１つのユース・ケースは、動画プレイヤーがスクリーンを含む後部座席娯楽システムに動画を伝達したい、１台の自動車の内側にある。複数のＵＥが互いに「参照」しない場合、これらは、自動車におけるＳＵＤＡＳインフラを使用して通信しなければならない。（複数のＳＵＤＡＣを経由する）２つのＵＥ／装置の間での全ての通信がこの場合において６０Ｇで行い得ることを留意されたい（ｓ６０Ｇにおいて、伝搬状態がより良好であり得るが、しかし、場合によっては望まれるデータ速度がこの場合において到達可能でない）。基本的に、単独のＳＵＤＡＣは、ＵＥ２０ａから及び／又はその逆も然りの６０Ｇ信号を中継するのに十分であるだろう。しかしながら、これらは、なぜ多重ＳＵＤＡＣが入り組んでいるかの理由であり得る。例えば、個々のＳＵＤＡＣそれぞれは、単独のＳＵＤＡＣを使用するとき望まれるデータ速度が到達され得ないように、大きい十分なバンド幅のチャンネルを提供しないが、しかし、多重ＳＵＤＡＣは、共に使用しなければならない。代替的に又は追加で、空間多様性は、人々が自動車において動いており、且つ自動車が道路において動いているので、更なる１つの理由であり得、そのような伝搬状態は素早く変わり得る。そのような１つのシナリオは、６０Ｇにおいてリソースが割り当てられるとき考慮され得、リソース割り当てが１つの制御器によって実行又は制御される。
【０１５７】
幾つかの態様が装置（ａｐｐａｒａｔｕｓ）のコンテキストにおいて記述されたが、これらの態様が、ブロック又は装置が方法ステップ又は方法ステップの特徴に対応する、対応する方法の記述をさらに表現することは明らかである。類似的に、方法ステップのコンテキストにおいて記述された態様は、対応するブロック若しくはアイテム又は対応する装置の特徴の記述をさらに表現する。方法ステップの幾つか又は全ては、例えば、マイクロプロセッサ、プログラム可能なコンピュータ又は電子回路のようなハードウェア装置によって（又はを使用して）実施され得る。幾つかの実施形態において、最も重要な方法ステップの幾つか１つ以上は、そのような装置によって実施され得る。
【０１５８】
ある実装要求に依存して、本発明の実施形態は、ハードウェアにおいて又はソフトウェアにおいて実装され得る。実装は、それぞれの方法が実行されるように、プログラム可能なコンピュータ・システムと協働する（又は協働することが可能である）、そこに記憶される電子的に読み取り可能な制御信号を有する、デジタル記憶媒体、例えば、フロッピー・ディスク、ＤＶＤ、Ｂｌｕ−Ｒａｙ、ＣＤ、ＲＯＭ、ＰＲＯＭ、ＥＰＲＯＭ、ＥＥＰＲＯＭ又はＦＬＡＳＨメモリを使用して実行され得る。したがって、デジタル記憶媒体は、コンピュータ読み取り可能であり得る。
【０１５９】
本発明に係る幾つかの実施形態は、ここで記述された方法の１つが実行されるように、プログラム可能なコンピュータ・システムと協働することが可能な、電子的に読み取り可能な制御信号を有するデータ・キャリアを備える。
【０１６０】
概して、本発明の実施形態は、プログラム・コードを伴うコンピュータ・プログラム製品として実装され得、プログラム・コードは、コンピュータ・プログラム製品がコンピュータで動作するとき、方法の１つを実行するために作動する。プログラム・コードは、例えば、機械読み取り可能なキャリアで記憶され得る。
【０１６１】
他の実施形態は、機械読み取り可能なキャリアで保存される、ここで記述された方法の１つを実行するためのコンピュータ・プログラムを備える。
【０１６２】
言い換えると、本発明に関する方法の一実施形態は、したがって、コンピュータ・プログラムがコンピュータで動作するとき、ここで記述された方法の１つを実行するためのプログラム・コードを有するコンピュータ・プログラムである。
【０１６３】
本発明に関する方法の更なる実施形態は、したがって、そこに記録される、ここで記述された方法の１つを実行するためのコンピュータ・プログラムを備える、データ・キャリア（若しくはデジタル記憶媒体、又はコンピュータ読み取り可能な媒体）である。データ・キャリア、デジタル記憶媒体又は記録媒体は、典型的には、有形及び／又は非変遷である。
【０１６４】
本発明に関する方法の更なる実施形態は、したがって、ここで記述された方法の１つを実行するためのコンピュータ・プログラムを表現するデータ・ストリーム又は信号のシーケンスである。データ・ストリーム又は信号のシーケンスは、データ通信接続を介して、例えば、インターネットを介して、伝達されるように例えば構成され得る。
【０１６５】
更なる実施形態は、処理手段、例えば、ここで記述された方法の１つを実行するように構成又は適合される、コンピュータ、又はプログラム可能な論理装置を備える。
【０１６６】
更なる実施形態は、ここで記述された方法の１つを実行するためのコンピュータ・プログラムをそこにインストールされたコンピュータを備える。
【０１６７】
本発明に係る更なる実施形態は、受信器のためにここで記述された方法の１つを実行するためのコンピュータ・プログラムを（例えば、電子的に又は光学的に）伝達するように構成される装置又はシステムを備える。受信器は、例えば、コンピュータ、モバイル装置、メモリ装置などであり得る。装置又はシステムは、例えば、受信器に対してコンピュータ・プログラムを伝達するためのファイル・サーバを備え得る。
【０１６８】
幾つかの実施形態において、プログラム可能な論理装置（例えば、フィールド・プログラマブル・ゲート・アレイ）は、ここで記述された方法の機能性の幾つか又は全てを実行するために使用され得る。幾つかの実施形態において、フィールド・プログラマブル・ゲート・アレイは、ここで記述された方法の１つを実行するために、マイクロプロセッサと協働し得る。概して、方法は、如何なるハードウェア装置によっても好ましく実行される。
【０１６９】
上述された実施形態は、本発明の原理に対する単なる例示である。ここで記述された配置、詳細の修正及びバリエーションが他の当業者のために明らかであろうことが理解される。したがって、それは、差し迫った特許請求の範囲によってのみ制限され、且つここでの実施形態の記述及び説明を手段として提供される具体的な詳細によっては制限されないことが意図である。                                                                               
【図１ａ】
0006282380.tif 000003
【図１ｂ】
0006282380.tif 000004
【図１ｃ】
0006282380.tif 000005
【図１ｄ】
0006282380.tif 000006
【図２】
0006282380.tif 000007
【図３ａ】
0006282380.tif 000008
【図３ｂ】
0006282380.tif 000009
【図３ｃ】
0006282380.tif 000010
【図３ｄ】
0006282380.tif 000011
【図４】
0006282380.tif 000012
【図５ａ】
0006282380.tif 000013
【図５ｂ】
0006282380.tif 000014
【図６】
0006282380.tif 000015
【図７】
0006282380.tif 000016
【図８ａ】
0006282380.tif 000017
【図８ｂ】
0006282380.tif 000018
【図９ａ】
0006282380.tif 000019
【図９ｂ】
0006282380.tif 000020
【図１０ａ】
0006282380.tif 000021
【図１０ｂ】
0006282380.tif 000022